(57)【特許請求の範囲】
【請求項１】
支持体上に少なくとも１層の感光性ハロゲン化銀乳剤層を有するハロゲン化銀写真感光材料において、該乳剤層の感光性ハロゲン化銀乳剤が下記一般式（Ｉ）で表される化合物および下記一般式（ＩＩ）で表される化合物を含有することを特徴とするハロゲン化銀写真感光材料。
一般式（Ｉ）
【化１】
0003579195.tif 000075
式（Ｉ）中、Ｒ１  ，Ｒ２  ，Ｒ３  は同一でも異なっていてもよく、各々水素原子、アルキル基またはアリール基を表す。
一般式（ＩＩ）
【化２】
0003579195.tif 000076
式（ＩＩ）中、Ｒは下記で表されるアルキル基である。
【化３】
0003579195.tif 000077
Ｒａ  ，Ｒｂ  ，Ｒｃ  ，及びＲｄ  はアルキル基、複素環基、アルコキシ基、アリーロキシ基、又はアミノ基を表し、Ｑａ  ，Ｑｂ  ，Ｑｃ  ，及びＱｄ  はメチレン基を表し、ｒ，ｓ，ｔ，及びｕは１以上１０以下の整数を表す。
Ｌ１  及びＬ２  はメチン基を表す。ｐ１  は０又は１を表す。Ｚ１  は５又は６員の含窒素複素環を形成するために必要な原子群を表す。Ｍ１  は電荷均衡対イオンを表し、ｍ１  は分子の電荷を中和するために必要な０以上１０以下の数を表す。Ｑは複素環基又は芳香族基で置換されたメチン基又はポリメチン基を表す。
【請求項２】
下記一般式（ＩＩＩ）で表される化合物のうち少なくとも１つを含有することを特徴とする請求項１記載のハロゲン化銀写真感光材料。
一般式（ＩＩＩ）
【化４】
0003579195.tif 000078
式（ＩＩＩ）中、Ｒ１１，Ｒ１２，Ｒ１３は同一でも異なっていてもよく、各々ヒドロキシ基、アミノ基、アルキルアミノ基、アリールアミノ基、アルコキシ基、アリールオキシ基、アルキル基、アリール基、アルキルチオ基、又は下記一般式（ＩＶ）にて表される基を表す。但し、Ｒ１１，Ｒ１２，Ｒ１３のうち少なくとも１つは一般式（ＩＶ）にて表される基である。
一般式（ＩＶ）
【化５】
0003579195.tif 000079
式（ＩＶ）中、Ｒ１４は水素原子、アルキル基、アルケニル基、アリール基を表す。
【請求項３】
前記の感光性ハロゲン化銀乳剤中のハロゲン化銀粒子が還元増感されていることを特徴とする請求項１または２記載のハロゲン化銀写真感光材料。
【発明の詳細な説明】
【０００１】
【発明の属する技術分野】
本発明は、ハロゲン化銀写真感光材料に関するものである。さらに詳しくは、高感度でかつ保存安定性に優れたハロゲン化銀写真感光材料に関するものである。
【０００２】
【従来の技術】
ハロゲン化銀写真感光材料、特に撮影用感光材料においては、高感度であることが要望されるとともにさまざまな使用環境において性能が変化しないことが望まれている。特開平７−２３９５４０には高感度で圧力耐性に優れ、かつ、長期の保存によりカブリの上昇が少ないハロゲン化銀感光材料が開示されている。ここで開示されたハロゲン化銀感光材料は３５℃で６カ月という比較的マイルドな保存条件下におかれたときには確かに良好な結果を示している。しかし、撮影用感光材料の場合、その使用環境は多岐にわたり、例えば、炎天下の自動車内におかれていたり、晴天の日に写真店の店先のワゴンに積まれているのをよくみかける。炎天下の自動車内の温度は８０℃以上になるともいわれ、ハロゲン化銀写真感光材料にとって非常に過酷な条件である。このような条件では前記発明の効果は十分とはいえず、更なる改良が必要であることがわかった。
【０００３】
以上の理由から、高温条件下でも性能変化の少ないハロゲン化銀写真感光材料が求められている。
【０００４】
【発明が解決しようとする課題】
本発明の課題は、高感度でかつ保存安定性に優れたハロゲン化銀感光材料を提供することである。
【０００５】
【課題を解決するための手段】
本発明の課題は鋭意研究を行った結果、支持体上に少なくとも１層の感光性ハロゲン化銀乳剤層を有するハロゲン化銀写真感光材料において、該乳剤層の感光性ハロゲン化銀乳剤が下記一般式（Ｉ）で表される化合物および下記一般式（ＩＩ）で表される化合物を含有することを特徴とするハロゲン化銀写真感光材料によって達成することができた。
一般式（Ｉ）
【０００６】
【化６】
0003579195.tif 000002
式（Ｉ）中、Ｒ１  ，Ｒ２  ，Ｒ３  は同一でも異なっていてもよく、各々水素原子、アルキル基またはアリール基を表す。
一般式（ＩＩ）
【０００７】
【化７】
0003579195.tif 000003
式（ＩＩ）中、Ｒは下記で表されるアルキル基である。
【０００８】
【化８】
0003579195.tif 000004
Ｒａ  ，Ｒｂ  ，Ｒｃ  ，及びＲｄ  はアルキル基、複素環基、アルコキシ基、アリーロキシ基、又はアミノ基を表し、Ｑａ  ，Ｑｂ  ，Ｑｃ  ，及びＱｄ  はメチレン基を表し、ｒ，ｓ，ｔ、及びｕは１以上１０以下の整数を表す。
【０００９】
Ｌ１  及びＬ２  はメチン基を表す。ｐ１  は０又は１を表す。Ｚ１  は５又は６員の含窒素複素環を形成するために必要な原子群を表す。Ｍ１  は電荷均衡対イオンを表し、ｍ１  は分子の電荷を中和するために必要な０以上１０以下の数を表す。Ｑは複素環基又は芳香族基で置換されたメチン基又はポリメチン基を表す。
【００１０】
好ましくは、前記ハロゲン化銀写真感光材料が、下記一般式（ＩＩＩ）で表される化合物のうち少なくとも１つを含有する。
一般式（ＩＩＩ）
【００１１】
【化９】
0003579195.tif 000005
式（ＩＩＩ）中、Ｒ１１，Ｒ１２，Ｒ１３は同一でも異なっていてもよく、各々ヒドロキシ基、アミノ基、アルキルアミノ基、アリールアミノ基、アルコキシ基、アリールオキシ基、アルキル基、アリール基、アルキルチオ基、又は下記一般式（ＩＶ）にて表される基を表す。但し、Ｒ１１，Ｒ１２，Ｒ１３のうち少なくとも１つは一般式（ＩＶ）にて表される基である。
一般式（ＩＶ）
【００１２】
【化１０】
0003579195.tif 000006
式（ＩＶ）中、Ｒ１４は水素原子、アルキル基、アルケニル基、アリール基を表す。
【００１３】
さらに好ましくは前記の感光性ハロゲン化銀乳剤中のハロゲン化銀粒子が還元増感されていることを特徴とするハロゲン化銀写真感光材料により達成される。
【００１４】
【発明の実施の形態】
以下に本発明について詳細に説明する。
【００１５】
まず、本発明に使用する一般式（Ｉ）について詳細に説明する。
一般式（Ｉ）
【００１６】
【化１１】
0003579195.tif 000007
式（Ｉ）中、Ｒ１  ，Ｒ２  ，Ｒ３  は同一でも異なっていてもよく各々水素原子、アルキル基またはアリール基を表す。
【００１７】
本発明において前記一般式（Ｉ）にて表される化合物中のＲ１  ，Ｒ２  ，Ｒ３  について次に詳しく述べる。
【００１８】
Ｒ１  ，Ｒ２  ，Ｒ３  は同一でも異なっていてもよく、各々水素原子、アルキル基またはアリール基を表す。Ｒ１  ，Ｒ２  ，Ｒ３  が各々アルキル基またはアリール基である場合、これらの基は置換基を有していても良く、置換基の例としてはハロゲン原子、アリール基、複素環基、シアノ基、ニトロ基、ヒドロキシル基、カルボキシル基、スルホ基、アルコキシ基、アリールオキシ基、アシルアミノ基、アミノ基、アルキルアミノ基、アニリノ基、ウレイド基、チオウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、複素環オキシ基、アゾ基、アシルオキシ基、カルバモイルオキシ基、シリル基、シリルオキシ基、アリールオキシカルボニルアミノ基、イミド基、複素環チオ基、スルフィニル基、ホスホニル基、アリールオキシカルボニル基、アシル基である。更にＲ１  ，Ｒ２  ，Ｒ３  が各々アリール基である場合、置換基の例として前述のハロゲン原子以下の置換基に加えてアルキル基、アルケニル基、アルキニル基も含まれる。
【００１９】
Ｒ１  ，Ｒ２  ，Ｒ３  が各々アルキル基である場合、該アルキル基としては炭素数１〜１６、好ましくは炭素数１〜１０の直鎖、分岐鎖又は環状のアルキル基であり、例えば、メチル、エチル、プロピル、イソプロピル、ｔ−ブチル、２−ヒドロキシエチル、３−ヒドロキシプロピル、ベンジル、２−メタンスルホンアミドエチル、２−メトキシエチル、シクロペンチル、２−アセトアミドエチル、２−カルボキシルエチル、２，３−ジヒドロキシプロピル、ｎ−ヘキシル、ｎ−デシル、ｎ−ヘキサデシルである。
【００２０】
Ｒ１  ，Ｒ２  ，Ｒ３  が各々アリール基である場合、該アリール基としては炭素数６〜２４、好ましくは炭素数６〜１０のアリール基で例えば、フェニル、ナフチル、２−メチルフェニル、３−エチルフェニル、４−メトキシフェニル、３−ジメチルアミノフェニル、４−トリフルオロフェニル、２，４，５−トリクロロフェニルである。
【００２１】
一般式（Ｉ）中のＲ１  ，Ｒ２  ，Ｒ３  について以下にその好ましい組み合わせを述べる。
【００２２】
好ましい組み合わせとしては、Ｒ１  は水素原子、炭素数の総和が１以上１０以下のアルキル基、又は炭素数の総和が６以上１０以下のアリール基であり、Ｒ２  は水素原子であり、Ｒ３  は水素原子、炭素数の総和が１以上１０以下のアルキル基、又は炭素数の総和が６以上１０以下のアリール基である。
【００２３】
更に好ましい組み合わせとしては、Ｒ２  が水素原子であってＲ１  ，Ｒ３  の有する炭素数の総和が７以下の化合物である。
【００２４】
更に好ましい組み合わせとしては、Ｒ１  ，Ｒ２  はともに水素原子であり、Ｒ３  は水素原子または炭素数の総和が１以上４以下のアルキル基である。なかでも後に示す具体例（Ｓ−４）または（Ｓ−１２）がもっとも好ましい。
【００２５】
尚、これらのアルキル基、アリール基は置換基によって置換されているものも含む。置換基によって置換されているアルキル基、アリール基における炭素数の総和とは、該アルキル基、アリール基の炭素数だけでなく、置換している置換基の炭素数も含むものである。
【００２６】
次に本発明における一般式（Ｉ）で表される代表的化合物の具体例を示すが、これらによって限定されるものではない。
【００２７】
【化１２】
0003579195.tif 000008
【００２８】
【化１３】
0003579195.tif 000009
本発明の化合物は、例えば具体例（Ｓ−４）については、東京化成工業（株）より市販されており、容易に入手することができる。また、下記スキーム１に従い、容易に合成することが可能である。
【００２９】
スキーム１
【００３０】
【化１４】
0003579195.tif 000010
式中、Ｒ１  ，Ｒ２  ，Ｒ３  は各々前記と同じ意味を表す。
【００３１】
一般式（Ｉ）の化合物の添加量はハロゲン化銀１モルあたり０．５×１０−６モルから１．０×１０−２モルの範囲が好ましい。更に好ましくは、１．０×１０−５から５．０×１０−３モルの範囲である。
【００３２】
一般式（Ｉ）の化合物の添加位置は、ハロゲン化銀粒子の形成過程、化学増感過程、塗布過程のいずれの過程でも良いが、化学増感過程において、化学増感開始前に添加するのが好ましい。
【００３３】
また、保護層や中間層に添加しておき、塗布後に拡散させてもよい。
【００３４】
続いて、一般式（ＩＩ）について詳細に説明する。
一般式（ＩＩ）
【００３５】
【化１５】
0003579195.tif 000011
式（ＩＩ）中、Ｒは下記で表されるアルキル基である。
【００３６】
【化１６】
0003579195.tif 000012
Ｒａ  、Ｒｂ  、Ｒｃ  、及びＲｄ  は、アルキル基、アリール基、複素環基、アルコキシ基、アリーロキシ基、又はアミノ基を表し、Ｑａ  、Ｑｂ  、Ｑｃ  、及びＱｄ  はメチレン基を表し、ｒ、ｓ、ｔ、及びｕは１以上１０以下の整数を表す。
【００３７】
Ｌ１  及びＬ２  はメチン基を表す。ｐ１は０又は１を表す。Ｚ１  は５又は６員の含窒素複素環を形成するために必要な原子群を表す。Ｍ１  は電荷均衡対イオンを表し、ｍ１  は分子の電荷を中和するのに必要な０以上１０以下の数を表す。Ｑは複素環基又は芳香族基で置換されたメチン基又はポリメチン基を表す。
【００３８】
さらに、一般式（ＩＩ）で表される化合物が、下記一般式（ＩＩ−１）  、一般式（ＩＩ−２）、又は一般式（ＩＩ−３）から選ばれた化合物であるとき、より好ましい。
一般式（ＩＩ−１）
【００３９】
【化１７】
0003579195.tif 000013
式（ＩＩ−１）  中、Ｌ３  、Ｌ４  、Ｌ５  、Ｌ６  、Ｌ７  ，Ｌ８  及びＬ９  はメチン基を表す。ｐ２  、及びｐ３  は０又は１を表す。ｎ１  は０、１、２、又は３を表す。Ｚ２  及びＺ３  は５又は６員の含窒素複素環を形成するために必要な原子群を表す。Ｍ２  は電荷均衡対イオンを表し、ｍ２  は分子の電荷を中和するのに必要な０以上４以下の数を表す。Ｒ１  及びＲ２  はアルキル基を表す。但し、Ｒ１  及びＲ２  のうち少なくとも１つは、一般式（ＩＩ）においてＲで表される基である。
一般式（ＩＩ−２）
【００４０】
【化１８】
0003579195.tif 000014
式（ＩＩ−２）中、Ｌ１０、Ｌ１１，Ｌ１２、及びＬ１３はメチン基を表す。ｐ４  は０又は１を表す。ｎ２  は０、１、２、又は３を表す。Ｚ４  及びＺ５  は５又は６員の含窒素複素環を形成するために必要な原子群を表す。Ｍ３  は電荷均衡対イオンを表し、ｍ３  は分子の電荷を中和するのに必要な０以上４以下の数を表す。Ｒ３  は一般式（ＩＩ）におけるＲと同義である。Ｒ４  はアルキル基、アリール基、又は複素環基を表す。
一般式（ＩＩ−３）
【００４１】
【化１９】
0003579195.tif 000015
式（ＩＩ−３）中、Ｌ１４、Ｌ１５、Ｌ１６、Ｌ１７、Ｌ１８、Ｌ１９、Ｌ２０、Ｌ２１及びＬ２２はメチン基を表す。ｐ５  及びｐ６  は０又は１を表す。ｎ３  及びｎ４  は０、１、２、又は３を表す。Ｚ６ 、Ｚ７  及びＺ８  は５又は６員の含窒素複素環を形成するために必要な原子群を表す。Ｍ４  は電荷均衡対イオンを表し、ｍ４  は分子の電荷を中和するのに必要な０以上４以下の数を表す。Ｒ５  、及びＲ７  はアルキル基を表す。但し、Ｒ５  、及びＲ７  のうち少なくとも１つは、一般式（Ｉ）においてＲで表される基である。Ｒ６  は、アルキル基、アリール基、又は複素環基を表す。
【００４２】
一般式（ＩＩ）で表わされる化合物は、Ｑにより、いかなるメチン色素を形成することも可能であるが、好ましくはシアニン色素、メロシアニン色素、ロダシアニン色素、３核メロシアニン色素、アロポーラー色素、ヘミシアニン色素、スチリル色素などが挙げられる。これらの色素の詳細については、エフ・エム・ハーマー（Ｆ．Ｍ．Ｈａｒｍｅｒ）著「ヘテロサイクリック・コンパウンズ−シアニンダイズ・アンド・リレィテイド・コンパウンズ（ＨｅｔｅｒｏｃｙｃｌｉｃＣｏｍｐｏｕｎｄｓ−Ｃｙａｎｉｎｅ  Ｄｙｅｓ  ａｎｄ  Ｒｅｌａｔｅｄ  Ｃｏｍｐｏｕｎｄｓ）」、ジョン・ウィリー・アンド・サンズ（Ｊｏｈｎ  Ｗｉｌｅｙ  ＆Ｓｏｎｓ）社−ニューヨーク、ロンドン、１９６４年刊、デー・エム・スターマー（Ｄ．Ｍ．Ｓｔｕｒｍｅｒ）著「ヘテロサイクリック・コンパウンズ−スペシャル・トピックス・イン・ヘテロサイクリック・ケミストリー（Ｈｅｔｅｒｏｃｙｃｌｉｃ  Ｃｏｍｐｏｕｎｄｓ−Ｓｐｅｃｉａｌ  ｔｏｐｉｃｓｉｎ  ｈｅｔｅｒｏｃｙｃｌｉｃ  ｃｈｅｍｉｓｔｒｙ）」、第１８章、第１４節、第４８２から５１５項などに記載されている。
【００４３】
シアニン色素、メロシアニン色素、ロダシアニン色素の一般式は、米国特許第５，３４０，６９４号第２１、２２頁の（ＸＩ）、（ＸＩＩ）、（ＸＩＩＩ）に示されているものが好ましい。
【００４４】
また、一般式（ＩＩ）において、Ｑによりシアニン色素が形成される場合などは、下記のような共鳴式で表現することも可能である。
【００４５】
【化２０】
0003579195.tif 000016
一般式（ＩＩ）、（ＩＩ−１）  、（ＩＩ−２）、及び（ＩＩ−３）において、Ｚ１  、Ｚ２  、Ｚ３  、Ｚ４  ，Ｚ６  、及びＺ８  で表される５又は６員の含窒素複素環としては、チアゾリン核、チアゾール核、ベンゾチアゾーム核、オキサゾリン核、オキサゾール核、ベンゾオキサゾール核、セレナゾリン核、セレナゾール核、ベンゾセレナゾール核、３，３−ジアルキルインドレニン核（例えば３，３−ジメチルインドニン）、イミダゾリン核、イミダゾール核、ベンゾイミダゾール核、２−ピリジン核、４−ピリジン核、２−キノリン核、４−キノリン核、１−イソキノリン核、３−イソキノリン核、イミダゾ［４，５−ｂ］キノキザリン核、オキサジアゾール核、チアジアゾール核、テトラゾール核、ピリミジン核を挙げることができる。
【００４６】
好ましくはベンゾオキサゾール核、ベンゾチアゾール核、ベンゾイモダゾール核およびキノリン核であり、さらに好ましくはベンゾオキサゾール核、ベンゾチアゾール核である。一般式（ＩＩ−１）  における、Ｚ１  、及びＺ２  として特に好ましくは少なくとも１つはベンゾチアゾール核であり、もう１つはベンゾチアゾール核又はベンゾオキサゾール核である。
【００４７】
Ｚ１  、Ｚ２  、Ｚ３  、Ｚ４  、Ｚ６  、及びＺ８  上の置換基をＶとすると、Ｖで示される置換基としては特に制限はないが、例えば、ハロゲン原子（例えば、塩素、臭素、沃素、フッ素）、メルカプト基、シアノ基、カルボキシル基、リン酸基、スルホ基、ヒドロキシ基、炭素数１から１０、好ましくは炭素数２から８、さらに好ましくは炭素数２から５のカルバモイル基（例えば、メチルカルバモイル、エチルカルバモイル、モルホリノカルボニル）、炭素数０から１０、好ましくは炭素数２から８、さらに好ましくは炭素数２から５のスルファモイル基（例えば、メチルスルファモイル、エチルスルファモイル、ピペリジノスルファモイル）、ニトロ基、炭素数１から２０、好ましくは炭素数１から１０、さらに好ましくは炭素数１から８のアルコキシ基（例えば、メトキシ、エトキシ、２−メトキシエトキシ、２−フェニルエトキシ）、炭素数６から２０、好ましくは炭素数６から１２、さらに好ましくは炭素数６から１０のアリールオキシ基（例えば、フェノキシ、ｐ−メチルフェノキシ、ｐ−クロロフェノキシ、ナフトキシ）、炭素数１から２０、好ましくは炭素数２から１２、さらに好ましくは炭素数２から８のアシル基（例えば、アセチル、ベンゾイル、トリクロロアセチル）、炭素数１から２０、好ましくは炭素数２から１２、さらに好ましくは炭素数２から８のアシルオキシ基（例えば、アセチルオキシ、ベンゾイルオキシ）、炭素数１から２０、好ましくは炭素数２から１２、さらに好ましくは炭素数２から８のアシルアミノ基（例えば、アセチルアミノ）、炭素１から２０、好ましくは炭素数１から１０、さらに好ましくは炭素数１から８のスルホニル基（例えばメタンスルホニル、エタンスルホニル、ベンゼンスルホニルなど）、炭素１から２０、好ましくは炭素数１から１０、さらに好ましくは炭素数１から８のスルフィニル基（例えば、メタンスルフィニル、ベンゼンスルフィニル）、炭素１から２０、好ましくは炭素数１から１０、さらに好ましくは炭素数１から８のスルホニルアミノ基（例えば、メタンスルホニルアミノ、エタンスルホニルアミノ、ベンゼンスルホニルアミノなど）、アミノ基、炭素１から２０、好ましくは炭素数１から１２、さらに好ましくは炭素数１から８の置換アミノ基（例えば、メチルアミノ、ジメチルアミノ、ベンジルアミノ、アニリノ、ジフェニルアミノ）、炭素数０から１５、好ましくは炭素数３から１０、さらに好ましくは炭素数３から６のアンモニウム基（例えばトリメチルアンモニウム基、トリエチルアンモニウム基）、炭素数０から１５、好ましくは炭素数１から１０、さらに好ましくは炭素数１から６のヒドラジノ基（例えば、トリメチルヒドラジノ基）、炭素数１から１５、好ましくは炭素数１から１０、さらに好ましくは炭素数１から６のウレイド基（例えば、ウレイド基、Ｎ，Ｎ−ジメチルウレイド基）、炭素数１から１５、好ましくは炭素数１から１０、さらに好ましくは炭素数１から６のイミド基（例えば、スクシンイミド基）、炭素数１から２０、好ましくは炭素数１から１２、さらに好ましくは炭素数１から８のアルキルまたはアリールチオ基（例えば、メチルチオ、エチルチオ、カルボキシエチルチオ、スルホブチルチオ、フェニルチオなど）、炭素２から２０、好ましくは炭素数２から１２、さらに好ましくは炭素数２から８のアルコキシカルボニル基（例えば、メトキシカルボニル、エトキシカルボニル、ベンジルオキシカルボニル）、炭素６から２０、好ましくは炭素数６から１２、さらに好ましくは炭素数６から８のアリーロキシカルボニル基（例えば、フェノキシカルボニル）、炭素数１から１８、好ましくは炭素数１から１０、さらに好ましくは炭素数１から５の無置換アルキル基（例えば、メチル、エチル、プロピル、ブチル）、炭素数１から１８、好ましくは炭素数１から１０、さらに好ましくは炭素数１から５の置換アルキル基（ヒドロキシメチル、トリフルオロメチル、ベンジル、カルボキシエチル、エトキシカルボニルメチル、アセチルアミノメチル、またここでは炭素数２から１８、好ましくは炭素数３から１０、さらに好ましくは炭素数３から５の不飽和炭化水素基（例えば、ビニル基、エチニル基、１−シクロヘキセニル基、ベンジリジン基、ベンジリデン基）も置換アルキル基に含まれることにする。）、炭素数６から２０、好ましくは炭素数６から１５、さらに好ましくは炭素数６から１０の置換または無置換のアリール基（例えば、フェニル、ナフチル、ｐ−カルボキシフェニル、ｐ−ニトロフェニル、３，５−ジクロロフェニル、ｐ−シアノフェニル、ｍ−フルオロフェニル、ｐ−トリル）、炭素数１から２０、好ましくは炭素数２から１０、さらに好ましくは炭素数４から６の置換されても良いヘテロ環基（例えば、ピリジル、５−メチルビリジル、チエニル、フリル、モルホリノ、テトラヒドロフルフリル）が挙げられる。また、ベンゼン環やナフタレン環が縮合した構造をとることもできる。
【００４８】
さらに、これらの置換基上にさらにＶが置換していても良い。
【００４９】
Ｚ１  、Ｚ２  、Ｚ３  、Ｚ４  、Ｚ６  、及びＺ８  上の置換基として好ましいものは上述のアルキル基、アリール基、アルコキシ基、ハロゲン原子、アシル基、シアノ基、スルホニル基、及びベンゼン環縮合であり、さらに好ましくはアルキル基、アリール基、ハロゲン原子、アシル基、スルホニル基、及びベンゼン環縮合であり、特に好ましくはメチル基、ｆフェニル基、メトキシ基、塩素原子、臭素原子、沃素原子、及びベンゼン環縮合である。
【００５０】
一般式（ＩＩ−１）  、（ＩＩ−２）、（ＩＩ−３）中のＲ１  、Ｒ２  、Ｒ３  、Ｒ５  およびＲ７  はそれぞれアルキル基を表す。Ｒ１  およびＲ２  で表されるアルキル基としては例えば、炭素原子１から１８、好ましくは１から７、特に好ましくは１から４の無置換アルキル基（例えば、メチル、エチル、プロピル、イソプロピル、ブチル、イソブチル、ヘキシル、オクチル、ドデシル、オクタデシル）、炭素原子１から１８、好ましくは１から７、特に好ましくは１から４の置換アルキル基｛例えば、前述のＺ１  などの置換基として挙げたＶが置換した複素環基が挙げられる。好ましくはアラルキル基（例えば、ベンジル、２−フェニルエチル）、不飽和炭化水素基（例えば、アリル基）、ヒドロキシアルキル基（例えば、２−ヒドロキシエチル、３−ヒドロキシプロピル）、カルボキシアルキル基（例えば、２−カルボキシエチル、３−カルボキシプロピル、４−カルボキシブチル、カルボキシメチル）、アルコキシアルキル基（例えば、２−メトキシエチル、２−（２−メトキシエトキシ）エチル）、アリーロキシアルキル基（例えば、２−フェノキシエチル、２−（１−ナフトキシ）エチル）、アルコキシカルボニルアルキル基（例えば、エトキシカルボニルメチル、２−ベンジルオキシカルボニルエチル）、アリーロキシカルボニルアルキル基（例えば３−フェノキシカルボニルプロピル）、アシルオキシアルキル基（例えば、２−アセチルオキシエチル）、アシルアルキル基（例えば、２−アセチルエチル）、カルバモイルアルキル基（例えば、２−モルホリノカルボニルエチル）、スルファモイルアルキル基（例えばＮ，Ｎ−ジメチルカルバモイルメチル）、スルホアルキル基（例えば、２−スルホエチル、３−スルホプロピル、３−スルホブチル、４−スルホブチル、３−スルホ−２−メチルプロピル、３−スルホペンチル、３−スルホ−３−フェニルプロピル、２−［３−スルホプロポキシ］エチル、２−ヒドロキシ−３−スルホプロピル、３−スルホプロポキシエトキシエチル）、スルホアルケニル基（例えば、３−スルホ−２−プロペニル）、スルホアラルキル基（例えば、２−スルホベンジル基）、スルファトアルキル基（例えば、２−スルファトエチル基、３−スルファトプロピル、４−スルファトブチル）、複素環置換アルキル基（例えば、２−（ピリジン−２−オン−１−イル）エチル、テトラヒドロフルフリル）、一般式（ＩＩ）のＲで表される基（例えば、メタンスルホニルカルバモイルメチル基）｝が挙げられる。
【００５１】
Ｒ１  、Ｒ２  、Ｒ３  、Ｒ５  およびＲ７  のアルキル基として好ましくは、上述のカルボキシアルキル基、スルホアルキル基、スルホアルケニル基、スルホアラルキル基、スルファトアルキル基、及びＲであり、さらに好ましくはスルホアルキル基、スルホアルケニル基、及びＲである。
【００５２】
Ｚ５  は酸性核を形成するために必要な原子群を表すが、いかなる一般のメロシアニン色素の酸性核の形をとることもできる。ここでいう酸性核とは、例えばジェイムス（Ｊａｍｅｓ）編「ザ・セオリー・オブ・ザ・フォトグラフィック・プロセス」（Ｔｈｅ  Ｔｈｅｏｒｙ  ｏｆ  ｔｈｅ  Ｐｇｏｔｏｇｒａｐｈｉｃ
Ｐｒｏｃｅｓｓ）第４版、マクミラン出版社、１９７７年、１９８頁により定義される。具体的には、米国特許第３，５６７，７１９号、第３，５７５，８６９号、第３，８０４，６３４号、第３，８３７，８６２号、第４，００２，４８０号、第４，９２５，７７７号、特開平３−１６７５４６号などに記載されているものが挙げられる。
【００５３】
酸性核が、炭素、窒素、及びカルコゲン（典型的には酸素、硫黄、セレン、及びテルル）原子からなる５員又は６員の含窒素複素環を形成するとき好ましく、次の核が挙げられる。
【００５４】
２−ピラゾリン−５−オン、ピラゾリジン−３，５−ジオン、イミダゾリン−５−オン、ヒダントイン、２または４−チオヒダントイン、２−イミノオキサゾリジン−４−オン、２−オキサゾリン−５−オン、２−チオオキサゾリン−２，４−ジオン、イソオキサゾリン−５−オン、２−チアゾリン−４−オン、チアゾリジン−４−オン、チアゾリジン−２，４−ジオン、ローダニン、チアゾリジン−２，４−ジチオン、イソロータニン、インダン−１，３−ジオン、チオフェン−３−オン、チオフェン−３−オン−１，１−ジオキシド、インドリン−２−オン、インドリン−３−オン、２−オキソインダゾリニウム、３−オキソインダゾリニウム、５，７−ジオキソ−６，７−ジヒドロチアゾロ［３，２−ａ］ピリミジン、シクロヘキサン−１，３−ジオン、３，４−ジヒドロイソキノリン−４−オン、１，３−ジオキサン−４，６−ジオン、バルビツール酸、２−チオバルビツール酸、クロマン−２，４−ジオン、インダゾリン−２−オン、ピリド［１，２−ａ］ピリミジン−１，３−ジオン、ビラゾロ［１，５−ｂ］キナゾロン、ピラゾロ［１，５−ａ］ベンゾイミダゾール、ピラゾロピリドン、１，２，３，４−テトラヒドロキノリン−２，４−ジオン、３−オキソ−２，３−ジヒドロベンゾ［ｄ］チオフェン−１，１−ジオキサイド、３−ジシアノメチン−２，３−ジヒドロベンゾ［ｄ］チオフェン−１，１−ジオキサイドの核。
【００５５】
Ｚ５  として好ましくはヒダントイン、２または４−チオヒダントイン、２−オキサゾリン−５−オン、２−チオオキサゾリン−２，４−ジオン、チアゾリジン−２，４−ジオン、ローダニン、チアゾリジン−２，４−ジチオン、バルゾツール酸、２−チオバルビツール酸であり、さらに好ましくは、ヒダントイン、２または４−チオヒダントイン、２−オキサゾリン−５−オン、ローダニン、バルビツール酸、２−チオバルビツール酸である。特に好ましくは２または４−チオヒダントイン、２−オキサゾリン−５−オン、ローダニンである。
【００５６】
Ｚ７  によって形成される５員又は６員の含窒素複素環は、Ｚ５  によって表される複素環からオキソ基、又はチオキソ基を除いたものである。好ましくはヒダントイン、２または４−チオヒダントイン、２−オキサゾリン−５−オン、２−チオオキサゾリン−２，４−ジオン、チアゾリジン−２，４−ジオン、ローダニン、チアゾリジン−２，４−ジチオン、バルビツール酸、２−チオバルビツール酸からオキソ基、又はチオキソ基を除いたものであり、さらに好ましくは、ヒダントイン、２または４−チオヒダントイン、２−オキサゾリン−５−オン、ローダニン、バルゾツール酸、２−チオバルビツール酸からオキソ基、又はチオキソ基を除いたものであり、特に好ましくは２または４−チオヒダントイン、２−オキサゾリン−５−オン、ローダニンからオキソ基、又はチオキソ基を除いたものである。
【００５７】
Ｒ４  、及びＲ６  として表されるアルキル基としては、上述のＲ１  などの例として挙げた無置換アルキル基又は置換アルキル基が挙げられ、同様なものが好ましい。また、炭素数６から２０、好ましくは炭素数６から１０、さらに好ましくは炭素数６から８の無置換アリール基（例えばフェニル基、１−ナフチル基）、炭素数６から２０、好ましくは炭素数６から１０、さらに好ましくは炭素数６から８の置換アリール基（例えば前述のＺ１  などの置換基として挙げたＶが置換したアリール基が挙げられる。具体的にはｐ−メトキシフェニル基、ｐ−メチルフェニル基、ｐ−クロロフェニル基などが挙げられる。）、炭素数１から２０、好ましくは炭素数３から１０、さらに好ましくは炭素数４から８の無置換複素環基（例えば２−フリル基、２−チエニル基、２−ピリジル基、３−ピラゾリル、３−イソオキサゾリル、３−イソチアゾリル、２−イミダゾリル、２−オキサゾリル、２−チアゾリル、２−ピリダジル、２−ピリミジル、３−ピラジル、２−（１，３，５−トリアゾリル）、３−（１，２，４−トリアゾリル）、５−テトラゾリル）、炭素数１から２０、好ましくは炭素数３から１０、さらに好ましくは炭素数４から８の置換複素環基（例えば前述のＺ１  などの置換基として挙げたＶが置換した複素環基が挙げられる。具体的には５−メチル−２−チエニル基、４−メトキシ−２−ピリジル基などが挙げられる。）が挙げられる。
【００５８】
Ｒ４  及びＲ６  として好ましいものはメチル、エチル、２−スルホエチル、３−スルホプロピル、３−スルホブチル、４−スルホブチル、カルボキシメチル、フェニル、２−ピリジル、２−チアゾリルであり、さらに好ましくはエチル、２−スルホエチル、カルボキシメチル、フェニル、２−ピリジルである。
【００５９】
一般式（ＩＩ）中のＲについて説明する。
【００６０】
Ｑａ  、Ｑｂ  、Ｑｃ  、及びＱｄ  は無置換メチレン基、又は置換メチレン基（例えば前述のＶが置換したメチレン基が挙げられる。具体的にはメチル基置換メチレン基、エチル基置換メチレン基、フェニル基置換メチレン基、ヒドロキシ基置換メチレン基ハロゲン原子（例えば塩素原子、臭素原子）置換メチレン基などが挙げられる。）好ましくは、無置換メチレン基である。
【００６１】
Ｒａ  、Ｒｂ  、Ｒｃ  、及びＲｄ  は、アルキル基、アリール基、複素環基、アルコキシ基、アリーロキシ基、又はアミノ基を表す。アルキル基、アリール基、複素環基としては、前述のＲ４  、及びＲ６  で挙げた例と同様なものが好ましく、アルコキシ基としては炭素数１から２０、好ましくは炭素数１から１０、さらに好ましくは炭素数１から８のアルコキシ基（例えばメトキシ、エトキシ、２−メトキシエトキシ、２−ヒドロキシエトキシ）、アリーロキシ基としては炭素数６から２０、好ましくは炭素数６から１２、さらに好ましくは炭素数６から１０のアリールオキシ基（例えばフェノキシ、ｐ−メチルフェノキシ、ｐ−クロロフェノキシ、ナフトキシ）、アミノ基としては炭素０から２０、好ましくは炭素数０から１２、さらに好ましくは炭素数０から８のアミノ基（例えば、アミノ、メチルアミノ、ジメチルアミノ、エチルアミノ、ヒドロキシエチルアミノ、ベンジルアミノ、アニリノ、ジフェニルアミノ、環を形成したモルホリノ、ピロリジノ）が挙げられる。これらの置換基には、前述のＶがさらに置換していても良い。さらに好ましくは、メチル基、エチル基、ヒドロキシエチル基であり、特に好ましくはメチル基である。
【００６２】
ｒ、ｔ、ｓ、及びｕは、０以上１０以下の整数を表すが、好ましくは１、２、３、４、５であり、さらに好ましくは１、２、３であり、特に好ましくは１である。なお、ｒ、ｔ、ｓ、及びｕが２以上の時、メチレン基が繰り返されるが同一である必要はない。
【００６３】
なお、本発明のＲは、全て解離した状態で表現しているが、解離していない下記Ｒ′のような状態をとることも可能である。
【００６４】
【化２１】
0003579195.tif 000017
本発明の色素の具体例では、Ｒ′の表現方法として下記のようにＲと電荷均衡対イオン（Ｈ＋  ）の組み合わせを用いている。
【００６５】
【化２２】
0003579195.tif 000018
本発明の色素がハロゲン化銀感材中でＲおよびＲ′のどちらになるかは、感材のｐＨによって変わる。
【００６６】
一般式（ＩＩ）のＲの具体例を、下記に示す。
【００６７】
【化２３】
0003579195.tif 000019
Ｌ１  、Ｌ２  、Ｌ３  、Ｌ４  、Ｌ５  、Ｌ６  、Ｌ７  、Ｌ８  、Ｌ９  、Ｌ１０、Ｌ１１、Ｌ１２、Ｌ１３、Ｌ１４、Ｌ１５、Ｌ１６、Ｌ１７、Ｌ１８、Ｌ１９、Ｌ２０、Ｌ２１、及びＬ２２はそれぞれ独立にメチン基を表す。Ｌ１  〜Ｌ２２で表されるメチン基は置換基を有していてもよく、置換基としては例えば置換もしくは無置換の炭素数１から１５、好ましくは炭素数１から１０、さらに好ましくは炭素数１から５のアルキル基（例えばメチル、エチル、２−カルボキシエチル）、置換もしくは無置換の炭素数６から２０、好ましくは炭素数６から１５、さらに好ましくは炭素数６から１０のアリール基（例えばフェニル、ｏ−カルボキシフェニル）、置換もしくは無置換の炭素数３から２０、好ましくは炭素数４から１５、さらに好ましくは炭素数６から１０の複素環基（例えばＮ，Ｎ−ジエチルバルビツール酸基）、ハロゲン原子（例えば塩素、臭素、フッ素、沃素）、炭素数１から１５、好ましくは炭素数１から１０、さらに好ましくは炭素数１から５のアルコキシ基（例えばメトキシ、エトキシ）、炭素数１から１５、好ましくは炭素数１から１０、さらに好ましくは炭素数１から５のアルキルチオ基（例えばメチルチオ、エチルチオ）、炭素数６から２０、好ましくは炭素数６から１５、さらに好ましくは炭素数６から１０のアリールチオ基（例えばフェニルチオ）、炭素数０から１５、好ましくは炭素数２から１０、さらに好ましくは炭素数４から１０のアミノ基（例えば、Ｎ，Ｎ−ジフェニルアミノ、Ｎ−メチル−Ｎ−フェニルアミノ、Ｎ−メチルピペラジノ）などが挙げられる。また他のメチン基と環を形成してもよく、あるいは助色団を有する環を形成することもできる。
【００６８】
ｎ１  、ｎ２  、ｎ３  として好ましくは０、１であり、さらに好ましくは１である。ｎ４  として好ましくは０、１であり、さらに好ましくは０である。ｎ１  ｎ２  、ｎ３  ，ｎ４  が２以上の時、メチン基が繰り返されるが同一である必要はない。
【００６９】
Ｍ１  、Ｍ２  、Ｍ３  、及びＭ４  は色素のイオン電荷を中性にするために必要であるとき、陽イオン又は陰イオンの存在を示すために式の中に含められている。典型的な陽イオンとしては水素イオン（Ｈ＋  ）アルカリ金属イオン（例えばナトリウムイオン、カリウムイオン、リチウムイオン）、アルカリ土類金属イオン（例えばカルシウムイオン）などの無機陽イオン、アンモニウムイオン（例えば、アンモニウムイオン、テトラアルキルアンモニウムイオン、ピリジニウムイオン、エチルピリジニウムイオン）などの有機イオンが挙げられる。陰イオン無機陰イオンあるいは有機陰イオンのいずれであってもよく、ハロゲン陰イオン（例えばフッ素イオン、塩素イオン、ヨウ素イオン）、置換アリールスルホン酸イオン（例えばｐ−トルエンスルホン酸イオン、ｐ−クロルベンゼンスルホン酸イオン）、アリールジスルホン酸イオン（例えば１，３−ベンゼンスルホン酸イオン、１，５−ナフタレンジスルホン酸イオン、２，６−ナフタレンジスルホン酸イオン）、アルキル硫酸イオン（例えばメチル硫酸イオン）、硫酸イオン、チオシアン酸イオン、過塩素酸イオン、テトラフルオロホウ酸イオン、ピクリン酸イオン、酢酸イオン、トリフルオロメタンスルホン酸イオンが挙げられる。さらに、イオン性ポリマー又は色素と逆電荷を有する他の色素を用いても良い。
【００７０】
ｍ１  、ｍ２  、ｍ３  、及びｍ４  は電荷を均衡させるのに必要な数を表し、分子内で塩を形成する場合に０である。
【００７１】
ｐ１  、ｐ２  、ｐ３  、ｐ４  、ｐ５  、及びｐ６  はそれぞれ独立に０または１を表す。好ましくは０である。
【００７２】
一般式（ＩＩ−１）  、（ＩＩ−２）、（ＩＩ−３）のうち最も好ましくは（ＩＩ−１）である。一般式（ＩＩ−１）  においては、ｎ１  が１であり、Ｚ２  、及びＺ３  がベンゾオキサゾール核、またはベンゾチアゾール核である場合が好ましい。さらに、Ｒ１  が一般式（ＩＩ）におけるＲであり、Ｒ２  がスルホアルキル基、スルホアルケニル基、又はスルホアラルキル基である場合が好ましい。
【００７３】
以下に本発明の一般式（ＩＩ）（下位概念の一般式（ＩＩ−１）  、（ＩＩ−２）、（ＩＩ−３）も含む）の化合物の具体例を示すが、これにより本発明が制限されるわけではない。
【００７４】
【化２４】
0003579195.tif 000020
【００７５】
【化２５】
0003579195.tif 000021
【００７６】
【化２６】
0003579195.tif 000022
【００７７】
【化２７】
0003579195.tif 000023
【００７８】
【化２８】
0003579195.tif 000024
【００７９】
【化２９】
0003579195.tif 000025
【００８０】
【化３０】
0003579195.tif 000026
【００８１】
【化３１】
0003579195.tif 000027
【００８２】
【化３２】
0003579195.tif 000028
本発明の一般式（ＩＩ）（一般式（ＩＩ）は、下位概念の一般式（ＩＩ−１）  、（ＩＩ−２）、（ＩＩ−３）を含む）で表される化合物は、エフ・エム・ハーマー（Ｆ．Ｍ．Ｈａｒｍｅｒ）著「ヘテロサイクリック・コンパウンズ−シアニンダイズ・アンド・リレィテイド・コンパウンズ（Ｈｅｔｅｒｏｃｙｃｌｉｃ  Ｃｏｍｐｏｕｎｄｓ−Ｃｙａｎｉｎｅ  Ｄｙｅｓ  ａｎｄ  Ｒｅｌａｔｅｄ  Ｃｏｍｐｏｕｎｄｓ）」、ジョン・ウイリー・アンド・サンズ（Ｊｏｈｎ  Ｗｉｌｅｙ  ＆Ｓｏｎｓ）社−ニューヨーク、ロンドン、１９６４年刊、デー・エム・スターマー（Ｄ．Ｍ．Ｓｔｕｒｍｅｒ）著「ヘテロサイクリック・コンパウンズ−スペシャル・トピックス・イン・ヘテロサイクリック・ケミストリー（Ｈｅｔｅｒｏｃｙｃｌｉｃ  Ｃｏｍｐｏｕｎｄｓ−Ｓｐｅｃｉａｌ  ｔｏｐｉｃｓ  ｉｎ  ｈｅｔｅｒｏｃｙｃｌｉｃ  ｃｈｅｍｉｓｔｒｙ）」、第１８章、第１４節、第４８２から５１５項、ジョン・ウィリー・アンド・サンズ（Ｊｏｈｎ  Ｗｉｌｅｙ＆  Ｓｏｎｓ）社−ニューヨーク、ロンドン、１９７７年刊、「ロッズ・ケミストリー・オブ・カーボン・コンパウンズ（Ｒｏｄｄ′ｓ  Ｃｈｅｍｉｓｔｒｙｏｆ  ＣａｒｂｏｎＣｏｍｐｏｕｎｄｓ）」２ｎｄ．Ｅｄ．ｖｏｌ．ＩＶ，ｐａｒｔＢ，１９７７刊、第１５章、第３６９から４２２項、エルセビア・サイエンス・パブリック・カンパニー・インク（Ｅｌｓｅｖｉｅｒ  ＳｃｉｅｎｃｅＰｕｂｌｉｓｈｉｎｇ  Ｃｏｍｐａｎｙ  Ｉｎｃ．）社刊、ニューヨーク、英国特許第１，０７７，６１１号などに記載の方法に基づいて合成することができる。
合成例（化合物（２０）の合成）
化合物（２０）は下記に示したスキームに従って合成することができる。
【００８３】
【化３３】
0003579195.tif 000029
（２０Ａ）２ｇ（５ｍｍｏｌ）、（２０Ｂ）３．３１ｇ（８．５ｍｍｏｌ）、ジメチルスルホキシド８ｍｌに、１，８−ジアザビシクロ［５，４，０］−７−ウンデセン１．６６ｇ（１１ｍｍｏｌ）を室温化１時間攪拌後、酢酸エチル１００ｍｌを加えた。上澄みをデカンテーションにより除き、残さにメタノール２０ｍｌを加えて溶かし、セファデックスカラムにより精製した。（溶離液メタノール）得られた結晶にメタノール２０ｍｌに加えて溶かした後に、酢酸１ｍｌを加え、析出した結晶を吸引ろ過により取り出し乾燥した。赤紫結晶０．３６ｇ（収率１０．９％、λｍａｘ  ＝５３６ｎｍ（ε＝１０６０００）（ＭｅＯＨ中）融点２００℃以上で分解を得た。
【００８４】
一般式（ＩＩ）で表される分光増感色素の添加量はハロゲン化銀１モルあたり０．５×１０−６モル〜１．０×１０−２モルの範囲が好ましい。更に好ましくは、１．０×１０−５モル〜５．０×１０−３モルの範囲である。
【００８５】
増感色素はハロゲン化銀粒子の形成過程、或いは化学増感過程において添加してもよく、塗布時に添加してもよい。
【００８６】
特に増感色素をハロゲン化銀乳剤粒子形成中に添加する方法としては米国特許４，２２５，６６６号、同４，８２８，９７２号、特開昭６１−１０３，１４９号を参考にすることができる。また、増感色素をハロゲン化銀乳剤の脱塩工程において添加する方法としては欧州特許２９１，３３９−Ａ号、特開昭６４−５２，１３７号を参考にすることができる。また、増感色素を化学増感工程において添加する方法は特開昭５９−４８，７５６号に参考にすることができる。
【００８７】
増感色素による分光増感感度を高める方法として、二種以上の増感色素を組み合わせて使用する方法が知られている、二種以上の増感色素を組み合わせて使用すると、分光感度はそれぞれの増感色素を単独で使用したときの中間の効果になるか、または低下することが多いが、ある特別な組み合わせを用いると、それぞれの増感色素を単独で使用したしときより著しく分光感度が上昇することがある。通常この現象を増感色素の強色増感作用と呼んでいる。強色増感作用についてはＴ．Ｈ．Ｊａｍｅｓ編「Ｔｈｅ  Ｔｈｅｏｒｙ  ｏｆ  ｔｈｅ  Ｐｈｏｔｏｇｒａｐｈｉｃ  Ｐｒｏｃｅｓｓ」（第四版、Ｍａｃｍｉｌｌａｎ、Ｎｅｗ  Ｙｏｒｋ、１９７７）の第１０章（Ｗ．ＷｅｓｔとＰ．Ｂ．Ｇｉｌｍａｎ共著）にまとめられている。
【００８８】
このような組み合わせを用いたとき、分光増感波長はそれぞれの増感色素を単独で使用したとき得られる分光増感波長の中間、または単なる結合になることもあるが、単独使用での分光増感特性からは予測できないような波長への分光増感の移行がもたらされることもある。
【００８９】
このように増感色素を組み合わせて使用することにより、それぞれの増感色素を単独で用いたときよりさらに高い分光感度を得て、かつ写真感光材料の使用目的にあうような増感波長域を持つ増感色素の組み合わせを見いだすことは、ハロゲン化銀写真乳剤の分光増感技術において大きな課題となっている。
【００９０】
強色増感を得るために用いられる増感色素の組み合わせは、それらの色素の間に互いに著しく選択性が要求され、一見わずかの化学構造上の差と思われることが強色増感作用に著しく影響する。すなわち強色増感作用をもたらす増感色素の組み合わせは、ただ単に化学構造式の上からだけでは予測し難い。
【００９１】
強色増感剤としては、それ自身分光増感作用をもたない色素あるいは可視光を実質的に吸収しない物質を使用することもできる。例えば、含窒素異節環基で置換されたアノミスチリル化合物（例えば米国特許第２，９３３，３９０号、同第３，６３５，７２１号に記載のもの）、芳香族有機酸ホルムアルデヒド縮合物（例えば米国特許第３，７４３，５１０号に記載のもの）、カドミウム塩、アザインデン化合物などを含んでもよい。米国特許第３，６１５，６１３号、同第３，６１５，６４１号、同第３，６１７，２９５号、同第３，６３５，７２１号に記載の組み合せは特に有用である。
【００９２】
次に一般式（ＩＩＩ）について詳細に説明する。
一般式（ＩＩＩ）
【００９３】
【化３４】
0003579195.tif 000030
式（ＩＩＩ）中、Ｒ１１，Ｒ１２，Ｒ１３は同一でも異なっていてもよく、各々ヒドロキシ基、アミノ基、アルキルアミノ基、アリールアミノ基、アルコキシ基、アリールオキシ基、アルキル基、アリール基、アルキルチオ基、アリールチオ基または一般式（ＩＶ）にて表される基を表す。但し、Ｒ１１，Ｒ１２，Ｒ１３のうち少なくとも１つは一般式（ＩＶ）にて表される基である。
一般式（ＩＶ）
【００９４】
【化３５】
0003579195.tif 000031
式（ＩＶ）中、Ｒ１４は水素原子、アルキル基、アルケニル基、アリール基を表す。
【００９５】
本発明において前記一般式（ＩＩＩ）にて表される化合物中のＲ１１，Ｒ１２，Ｒ１３，Ｒ１４について次に詳しく述べる。
【００９６】
Ｒ１１，Ｒ１２，Ｒ１３は同一でも異なっていてもよく、各々ヒドロキシ基、アミノ基、アルキルアミノ基、アリールアミノ基、アルコキシ基、アリールオキシ基、アルキル基、アリール基、アルキルチオ基、アリールチオ基または一般式（ＩＶ）にて表される基を表す。但し、Ｒ１１，Ｒ１２，Ｒ１３のうち少なくとも１つは一般式（ＩＶ）にて表される基である。
【００９７】
一般式（ＩＶ）
【００９８】
【化３６】
0003579195.tif 000032
式（ＩＶ）中、Ｒ１４は水素原子、アルキル基、アルケニル基、アリール基を表す。
【００９９】
Ｒ１１，Ｒ１２，Ｒ１３が、各々アルキルアミノ基、アリールアミノ基、アルコキシ基、アリールオキシ基、アルキル基、アリール基、アルキルチオ基、アリールチオ基である場合、これらの基は置換基を有していても良く、置換基の例としてはヒドロキシ基、アルコキシ基（好ましくは炭素数１〜４、特に好ましくは炭素数１〜２）、アミノ基、アルキルアミノ基（好ましくは炭素数１〜４、特に好ましくは炭素数１〜２のモノまたはジ置換アミノ基）などを挙げることができる。
【０１００】
更にＲ１１，Ｒ１２，Ｒ１３が各々アリール基である場合、置換基の例として前述のヒドロキシ基以下の置換基に加えてアルキル基（好ましくは炭素数１〜４、特に好ましくは炭素数１〜２）も含まれる。
【０１０１】
Ｒ１４が、アルキル基、アルケニル基、アリール基である場合、これらの基は置換基を有していても良く、その例としてはＲ１１にて述べたものに同義である。
【０１０２】
Ｒ１１，Ｒ１２，Ｒ１３が各々アルキルアミノ基である場合、該アルキルアミノ基としては炭素数１〜１２、好ましくは炭素数１〜５のアルキル基のモノまたはジ置換アミノ基で、例えば、メチルアミノ、エチルアミノ、イソプロピルアミノ、２−ヒドロキシエチルアミノ、ジエチルアミノ、ベンジルアミノ、２−メタンスルホンアミドエチルアミノ、ビス（２−カルボキシエチル）アミノ、３−メトキシプロピルアミノ、ｎ−ドデシルアミノである。
【０１０３】
Ｒ１１，Ｒ１２，Ｒ１３が各々アリールアミノ基である場合、該アリールアミノ基としては炭素数６〜２４、好ましくは炭素数６〜１０のアリール基のモノまたはジ置換アニリノ基で、例えば、アニリノ、ナフチルアミノ、２−メチルアニリノ、４−メトキシアニリノ、３−ジメチルアミノアニリノ、Ｎ−メチルアニリノである。
【０１０４】
Ｒ１１，Ｒ１２，Ｒ１３が各々アルコキシ基である場合、該アルコキシ基としては炭素数１〜１２、好ましくは炭素数１〜５のアルコキシ基で、例えば、メトキシ、エトキシ、イソプロピルオキシ、２−ヒドロキシエトキシ、３−メトキシプロピルオキシ、ベンジルオキシ、ｎ−ドデシルオキシである。
【０１０５】
Ｒ１１，Ｒ１２，Ｒ１３が各々アリールオキシ基である場合、該アリールオキシ基としては炭素数６〜２４、好ましくは炭素数６〜１０のアリールオキシ基で、例えばフェノキシ基、ナフチルオキシ基、４−メトキシフェノキシ基、２−メチルフェノキシ基である。
【０１０６】
Ｒ１１，Ｒ１２，Ｒ１３が各々アルキル基である場合、該アルキル基としては炭素数１〜１０、好ましくは炭素数１〜５の直鎖、分岐鎖または環状のアルキル基であり、例えば、メチル、エチル、プロピル、イソプロピル、ｔ−ブチル、２−ヒドロキシエチル、３−ヒドロキシプロピル、ベンジル、２−メタンスルホンアミドエチル、２−メトキシエチル、シクロペンチル、２−アセトアミドエチル、２−カルボキシルエチル、２，３−ジヒドロキシプロピル、ｎ−ヘキシル、ｎ−デシル、２−スルホエチルである。
【０１０７】
Ｒ１１，Ｒ１２，Ｒ１３が各々アリール基である場合、該アリール基としては炭素数６〜１６、好ましくは炭素数６〜１０のアリール基で、例えば、フェニル、ナフチル、２−メチルフェニル、３−エチルフェニル、４−メトキシフェニル、３−ジメチルアミノフェニル、４−トリフルオロメチルフェニル、２，４，５−トリクロロフェニルである。
【０１０８】
Ｒ１１，Ｒ１２，Ｒ１３が各々アルキルチオ基である場合、該アルキルチオ基としては炭素数１〜１２、好ましくは炭素数１〜５のアルコキシ基で、例えば、メチルチオ、エチルチオ、イソプロピルチオ、２−ヒドロキシエチルチオ、３−メトキシプロピルチオ、ベンジルチオ、ｎ−ドデシルチオである。
【０１０９】
Ｒ１１、Ｒ１２、Ｒ１３が各々アリールチオ基である場合、該アリールチオ基としては炭素数６〜２４、好ましくは炭素数６〜１０のアリールチオ基で、例えば、フェニルチオ基、ナフチルチオ基、４−メトキシフェニルチオ基、２−メチルフェニルチオ基である。
【０１１０】
Ｒ１４がアルキル基である場合、該アルキル基としては炭素数１〜１０、好ましくは炭素数１〜５の直鎖、分岐鎖または環状のアルキル基であり、例えば、メチル、エチル、プロピル、イソプロピル、ｔ−ブチル、２−ヒドロキシエチル、３−ヒドロキシプロピル、ベンジル、２−メタンスルホンアミドエチル、２−メトキシエチル、シクロペンチル、２−アセトアミドエチル、２−カルボキシルエチル、２，３−ジヒドロキシプロピル、ｎ−ヘキシル、ｎ−デシル、２−スルホエチルである。
【０１１１】
Ｒ１４がアルケニル基である場合、該アルケニル基としては炭素数１〜１０、好ましくは炭素数１〜５の直鎖、分岐鎖または環状のアルキル基であり、例えば、アリル、２−ブテニル、５−ヘキセニルである。
【０１１２】
Ｒ１４が各々アリール基である場合、該アリール基としては炭素数６〜１６、好ましくは炭素数６〜１０のアリール基で、例えば、フェニル、ナフチル、２−メチルフェニル、３−エチルフェニル、４−メトキシフェニル、３−ジメチルアミノフェニル、４−トリフルオロメチルフェニル、２，４，５−トリクロロフェニルである。
【０１１３】
一般式（ＩＩＩ）中のＲ１１，Ｒ１２，Ｒ１３，Ｒ１４について以下にその好ましい組み合わせを述べる。
【０１１４】
一般式（ＩＩＩ）にて表される化合物は、その炭素数の総和が３以上１５以下であることが好ましい。
【０１１５】
更に、Ｒ１１，Ｒ１２，Ｒ１３が，各々アルキルアミノ基と一般式（ＩＶ）にて表される基からのみ成り立っていることがより好ましい。
【０１１６】
この時、化合物の炭素数の総和が１０以下であることは更に好ましい。
【０１１７】
更に、Ｒ１１，Ｒ１２，Ｒ１３の少なくとも２つ以上が、一般式（ＩＶ）にて表される基であることが好ましい。
【０１１８】
次に本発明における一般式（ＩＩＩ）で表される代表的化合物の具体例を示すが、本発明はこれらによって限定されるものではない。
【０１１９】
【化３７】
0003579195.tif 000033
【０１２０】
【化３８】
0003579195.tif 000034
【０１２１】
【化３９】
0003579195.tif 000035
【０１２２】
【化４０】
0003579195.tif 000036
本発明の化合物は、ジャーナル・オブ・ジ・オーガニック・ケミストリー、２７巻４０５４頁（１９６２）、ジャーナル・オブ・ジ・アメリカン・ケミカル・ソサエティー、７３巻２９８１（１９５１）、特公昭４９−１０６９２号公報等に記載の合成法によって合成できる。
【０１２３】
一般式（ＩＩＩ）の化合物の添加量はハロゲン化銀１モルあたり０．５×１０−６モルから１．０×１０−２モルの範囲が好ましい。更に好ましくは１．０×１０−５モルから５．０×１０−３モルの範囲である。
【０１２４】
一般式（ＩＩＩ）の化合物の添加位置は、ハロゲン化銀粒子の形成過程、化学増感過程、塗布過程のいずれの過程でも良いが、化学増感過程において、化学増感開始前に添加するのが好ましい。
【０１２５】
ハロゲン化銀乳剤の製造工程は、粒子形成・脱塩・化学増感などの工程に大別される。粒子形成は核形成・熟成・成長などに分れる。これらの工程は一律に行なわれるものでなく工程の順番が逆になったり、工程が繰り返し行なわれたりする。本発明で用いられる還元増感をハロゲン化銀乳剤の製造工程中に施こすというのは基本的にはどの工程で行なってもよいことを意味する。還元増感は粒子形成の初期段階である核形成時でも物理熟成時でも、成長時でもよく、また還元増感以外の化学増感に先立って行なってもこの化学増感以降に行なってもよい。金増感を併用する化学増感を行なう場合には好ましくないかぶりを生じないよう化学増感に先立って還元増感を行なうのが好ましい。最も好ましいのはハロゲン化銀粒子の成長中に還元増感する方法である。ここで成長中とは、ハロゲン化銀粒子が物理熟成あるいは水溶性銀塩と水溶性ハロゲン化アルカリの添加によって成長しつつある状態で還元増感を施こす方法も、成長途中に成長を一時止めた状態で還元増感を施こした後にさらに成長される方法も含有することを意味する。
【０１２６】
本発明で用いられる還元増感には、ハロゲン化銀乳剤に公知の還元剤を添加する方法、銀熟成と呼ばれるｐＡｇ１〜７の低ｐＡｇの雰囲気で成長させるあるいは熟成させる方法、高ｐＨ熟成と呼ばれるｐＨ８〜１１の高ｐＨの雰囲気で成長させるあるいは熟成させる方法などが知られていおり、また２つ以上の方法を併用することもできる。
【０１２７】
還元増感剤を添加する方法は還元増感のレベルを微妙に調節できる点で好ましい方法である。
【０１２８】
還元増感剤として第一錫塩、アミンおよびポリアミン酸、ヒドラジン誘導体、ホルムアミジンスルフィン酸、シラン化合物、ボラン化合物などが公知である。本発明にはこれら公知の化合物から選んで用いることもできる。また２種以上の化合物を併用することもできる。還元増感剤として塩化第一錫、二酸化チオ尿素、ジメチルアミンボラン、米国特許第５，３８９，５１０号に記載のアルキニルアミン化合物が好ましい化合物である。さらに好ましくは二酸化チオ尿素である。還元増感剤の添加量は乳剤製造条件に依存するので添加量を選ぶ必要があるが、ハロゲン化銀１モル当り１０−７〜１０−３モルの範囲が適用である。
【０１２９】
本発明の還元増感剤としてアスコルビン酸およびその誘導体を用いることもできる。
【０１３０】
アスコルビン酸およびその誘導体（以下、「スルコルビン酸化合物」という。）の具体例としては以下のものが挙げられる。
【０１３１】
（Ａ−１）    Ｌ−アスコルビン酸
（Ａ−２）    Ｌ−アスコルビン酸ナトリウム
（Ａ−３）    Ｌ−アスコルビン酸カリウム
（Ａ−４）    ＤＬ−アスコルビン酸
（Ａ−５）    Ｄ−アスコルビン酸ナトリウム
（Ａ−６）    Ｌ−アスコルビン酸−６−アセテート
（Ａ−７）    Ｌ−アスコルビン酸−６−バルミテート
（Ａ−８）    Ｌ−アスコルビン酸−６−ベンゾエート
（Ａ−９）    Ｌ−アスコルビン酸−５，６−ジアセテート
（Ａ−１０）  Ｌ−アスコルビン酸−５，６−Ｏ−イソプロピリデン
本発明に用いられるアスコルビン酸化合物は、従来還元増感剤が好ましく用いられている添加量に比較して多量用いることが望ましい。例えば特公昭５７−３３５７２号には「還元剤の量は通常銀イオンｇにつき０．７５×１０−２ミリ当量（８×１０−４モル／ＡｇＸモル）を越えない。硝酸銀ｋｇにつき０．１〜１０ｍｇの量（アスコルビン酸として、１０−７〜１０−５モル／ＡｇＸモル）が多くの場合効果的である。」（換算値は発明者らによる）と記述されている。米国特許第２，４８７，８５０号には「還元増感剤として錫化合物の用いることのできる添加量として１×１０−７〜４４×１０−６モル」と記載されている。また特開昭５７−１７９８３５号には二酸化チオ尿素の添加量としてハロゲン化銀１モル当り約０．０１ｍｇ〜約２ｍｇ、塩化第一錫として約０．０１ｍｇ〜約３ｍｇを用いるのが適当であると記載されている。本発明に用いられるアスコルビン酸化合物は乳剤の粒子サイズ、ハロゲン組成、乳剤調製の温度、ｐＨ、ｐＡｇなどの要因によって好ましい添加量が依存するが、ハロゲン化銀１モル当り５×１０−５〜１×１０−１モルの範囲から選ぶことが望ましい。さらに好ましくは５×１０−４〜１×１０−２の範囲から選ぶことが好ましい。特に好ましくは１×１０−３〜１×１０−４モルの範囲から選ぶことである。還元増感剤の中で、特に好ましくは二酸化チオ尿素である。
【０１３２】
還元増感剤は水あるいはアルコール類、グリコール類、ケトン類、エステル類、アミド類などの溶媒に溶かし、粒子形成中、化学増感前あるいは後に添加することができる。乳剤製造工程のどの過程で添加してもよいが、特に好ましいのは粒子成長中に添加する方法である。あらかじめ反応容器に添加するのもよいが、粒子形成の適当な時期に添加する方が好ましい。また水溶性銀塩あるいは水溶性アルカリハライドの水溶液にあらかじめ還元増感剤を印加しておき、これらの水溶液を用いて粒子形成してもよい。また粒子形成に伴って還元増感剤の溶液を何回かに分けて添加しても連続して長時間添加するのも好ましい方法である。
【０１３３】
本発明の乳剤の製造工程中に銀に対する酸化剤を用いることが好ましい。銀に対する酸化剤とは、金属銀に作用して銀イオンに変換せしめる作用を有する化合物を言う。特にハロゲン化銀粒子の形成過程および化学増感過程において副生する極めて微小な銀粒子を、銀イオンに変換せしめる化合物が有効である。ここで生成する銀イオンは、ハロゲン化銀、硫化銀、セレン化銀等の水に難溶の銀塩を形成してもよく、また、硝酸銀等の水に易溶の銀塩を形成しても良い。銀に対する酸化剤は、無機物であっても、有機物であっても良い。無機の酸化剤としては、オゾン、過酸化水素およびその付加物（例えば、ＮａＢＯ２  ・Ｈ２  Ｏ２  ・３Ｈ２  Ｏ，２Ｎａ２  ＣＯ３  ・３Ｈ２  Ｏ２  ，Ｎａ４  Ｐ２  Ｏ７  ・２Ｈ２  Ｏ２  ，２Ｎａ２  ＳＯ４  ・Ｈ２  Ｏ２  ・２Ｈ２  Ｏ）、ペルオキシ酸塩（例えば、Ｋ２  Ｓ２  Ｏ８  ，Ｋ２  Ｃ２  Ｏ６  ，Ｋ２  Ｐ２  Ｏ８  ）、ペルオキシ錯体化合物｛例えば、Ｋ２  （Ｔｉ（Ｏ２  ）Ｃ２  Ｏ４  ）・３Ｈ２  Ｏ，４Ｋ２  ＳＯ４  ・Ｔｉ（Ｏ２  ）ＯＨ・ＳＯ４  ・２Ｈ２  Ｏ，Ｎａ３  （ＶＯ（Ｏ２  ）（Ｃ２  Ｈ４  ）２  ・６Ｈ２  Ｏ｝、過マンガン酸塩（例えば、ＫＭｎＯ４  ）、クロム酸塩（例えば、Ｋ２  Ｃｒ２  Ｏ７  ）などの酸素酸塩、ヨウ素や臭素などのハロゲン元素、過ハロゲン酸塩（例えば過ヨウ素酸カリウム）、高原子価の金属の塩（例えば、ヘキサシアノ第二鉄酸カリウム）およびチオスルフォン酸塩などがある。また、有機の酸化剤としては、ｐ−キノンなどのキノン類、過酢酸や過安息香酸などの有機過酸化物、活性ハロゲンを放出する化合物（例えば、Ｎ−ブロムサクシンイミド、クロラミンＴ、クロラミンＢ）が例として挙げられる。
【０１３４】
さらに好ましい酸化剤としてＥＰ０６２７６５７Ａ２号に記載のジスルフィド化合物が用いられる。
【０１３５】
本発明の好ましい酸化剤として、さらにオゾン、過酸化水素およびその付加物、ハロゲン元素、チオスルフォン酸塩の無機酸化物及びキノン類の有機酸化剤を挙げることができる。前述の還元増感と銀に対する酸化剤を併用するのは好ましい態様である。酸化剤を用いた後還元増感を施す方法、その逆方法あるいは両者を同時に共存させる方法のなかから選んで用いることができる。これらの方法は、粒子形成工程でも化学増感工程でも選んで用いることができる。
【０１３６】
本発明のハロゲン化銀写真感光材料は、好ましくは、次の一般式（ＸＸ）、（ＸＸＩ）または（ＸＸＩＩ）で表される化合物から選ばれる少なくとも１つの化合物を含有する。
【０１３７】
一般式（ＸＸ）  Ｒ１０１  −ＳＯ２  Ｓ−Ｍ１０１
一般式（ＸＸＩ）  Ｒ１０１  −ＳＯ２  Ｓ−Ｒ１０２
一般式（ＸＸＩＩ）  Ｒ１０１  −ＳＯ２  Ｓ−（Ｅ）ａ  −ＳＳＯ２ −Ｒ１０３
式中、Ｒ１０１  、Ｒ１０２  、Ｒ１０３  は脂肪族基、芳香族基または複素環基を表し、Ｍ１０１  は陽イオンを表し、Ｅは２価の連結基を表し、ａは０または１である。
【０１３８】
一般式（ＸＸ）、（ＸＸＩ）又は（ＸＸＩＩ）の化合物を更に詳しく説明すると、Ｒ１０１  、Ｒ１０２  、及びＲ１０３  が脂肪族基の場合、好ましくは炭素数が１から２２のアルキル基、炭素数が２から２２のアルケニル基、アルキニル基であり、これらは、置換基を有していてもよい。アルキル基としては、例えばメチル、エチル、プロピル、ブチル、ペンチル、ヘキシル、オクチル、２−エチルヘキシル、デシル、ドデシル、ヘキサデシル、オクタデシル、シクロヘキシル、イソプロピル、ｔ−ブチルがあげられる。
【０１３９】
アルケニル基としては、例えばアリル、ブテニルがあげられる。
【０１４０】
アルキニル基としては、例えばプロパギル、ブチニルがあげられる。
【０１４１】
Ｒ１０１  、Ｒ１０２  、及びＲ１０３  の芳香族基としては、好ましくは炭素数が６から２０のもので、例えばフェニル基、ナフチル基があげられる。これらは、置換されていてもよい。
【０１４２】
Ｒ１０１  、Ｒ１０２  、及びＲ１０３  の複素環基としては、窒素、酸素、硫黄、セレン、テルルから選ばれる元素を少なくとも一つ有する３ないし１５員環のもので、例えばピロリジン環、ピペリジン環、ピリジン環、テトラヒドロフラン環、チオフェン環、オキサゾール環、チアゾール環、イミダゾール環、ベンゾチアゾール環、ベンズオキサゾール、ベンズイミダゾール環、セレナゾール環、ベンゾセレナゾール環、テルラゾール環、トリアゾール環、ベンゾトリアゾール環、テトラゾール環、オキサジアゾール環、チアジアゾール環が挙げられる。
【０１４３】
Ｒ１０１  、Ｒ１０２  、及びＲ１０３  の置換基としては、例えば、アルキル基（例えば、メチル、エチル、ヘキシル）、アルコキシ基（例えば、メトキシ、エトキシ、オクチルオキシ）、アリール基（例えば、フェニル、ナフチル、トリル）、ヒドロキシ基、ハロゲン原子（例えば、フッ素、塩素、臭素、沃素）、アリーロキシ基（例えば、フェノキシ）、アルキルチオ基（例えば、メチルチオ、ブチルチオ）、アリールチオ基（例えば、フェニルチオ）、アシル基（例えば、アセチル、プロピオニル、ブチリル、バレリル）、スルホニル基（例えば、メチルスルホニル、フェニルスルホニル）、アシルアミノ基（例えば、アセチルアミノ、ベンズアミノ）、スルホニルアミノ基（例えば、メタンスルホニルアミノ、ベンゼンスルホニルアミノ）、アシロキシ基（例えば、アセトキシ、ベンゾキシ）、カルボキシル基、シアノ基、スルホ基、アミノ基等があげられる。
【０１４４】
Ｅとして好ましくは二価の脂肪族基又は二価の芳香族基である。Ｅの二価の脂肪族基としては、例えば、−（ＣＨ２  ）ｎ  −（ｎ＝１〜１２）、−ＣＨ２  −ＣＨ＝ＣＨ−ＣＨ２  −、
【０１４５】
【化４１】
0003579195.tif 000037
キシリレン基、などがあげられる。Ｅの二価の芳香族基としては、例えばフェニレン、ナフチレンがあげられる。
【０１４６】
これらの置換基は、更にこれまで述べたＶなどの置換基で置換されていてもよい。
【０１４７】
Ｍ１０１  として好ましくは、金属イオン又は有機カチオンである。金属イオンとしては、リチウムイオン、ナトリウムイオン、カリウムイオンがあげられる。有機カチオンとしては、アンモニウムイオン（例えばアンモニウム、テトラメチルアンモニウム、テトラブチルアンモニウム）、ホスホニウムイオン（テトラフェニルホスホニウム）、グアニジン基等があげられる。
【０１４８】
一般式（ＸＸ）、（ＸＸＩ）又は（ＸＸＩＩ）で表される化合物の具体例を挙げるが、これらに限定されるわけではない。
【０１４９】
【化４２】
0003579195.tif 000038
【０１５０】
【化４３】
0003579195.tif 000039
【０１５１】
【化４４】
0003579195.tif 000040
【０１５２】
【化４５】
0003579195.tif 000041
【０１５３】
【化４６】
0003579195.tif 000042
【０１５４】
【化４７】
0003579195.tif 000043
【０１５５】
【化４８】
0003579195.tif 000044
【０１５６】
【化４９】
0003579195.tif 000045
【０１５７】
【化５０】
0003579195.tif 000046
【０１５８】
【化５１】
0003579195.tif 000047
一般式（ＸＸ）の化合物は、特開昭５４−１０１９及び英国特許第９７２，２１１号に記載されている方法で容易に合成できる。
【０１５９】
一般式（ＸＸ）、（ＸＸＩ）又は（ＸＸＩＩ）で表される化合物はハロゲン化銀１モル当り１０−７から１０−１モル添加するのが好ましい。さらに１０−６から１０−２モル、特に１０−５から１０−３モルの添加量が好ましい。
【０１６０】
一般式（ＸＸ）、（ＸＸＩ）又は（ＸＸＩＩ）で表される化合物を製造工程中に添加せしめるのは、写真乳剤に添加剤を加える場合に通常用いられる方法で適用できる。たとえば、水溶生の化合物は適当な濃度の水溶液とし、水に不溶または難溶性の化合物は水と混合しうる適当な有機溶媒、たとえばアルコール類、グリコール類、ケトン類、エステル類、アミド類などのうちで、写真特性に悪い影響を与えない溶媒に溶解し、溶液として、添加することができる。
【０１６１】
一般式（ＸＸ）、（ＸＸＩ）又は（ＸＸＩＩ）で表される化合物は、ハロゲン化銀乳剤の粒子形成中、化学増感前あるいは後の製造中のどの段階で添加してもよい。好ましいのは還元増感が施こされる前、あるいは施こされている時に、化合物が添加される方法である。特に好ましい粒子成長中に添加する方法である。
【０１６２】
あらかじめ反応容器に添加するのもよいが、粒子形成の適当な時期に添加する方が好ましい。また、水溶性銀塩あるいは水溶性アルカリハライドの水溶液にあらかじめ一般式（ＸＸ）、（ＸＸＩ）又は（ＸＸＩＩ）の化合物を添加しておき、これらの水溶液を用いて粒子形成してもよい。また粒子形成に伴って一般式（ＸＸ）、（ＸＸＩ）又は（ＸＸＩＩ）の化合物の溶液を何回かに分けて添加しても連続して長時間添加するのも好ましい方法である。
【０１６３】
一般式（ＸＸ）、（ＸＸＩ）又は（ＸＸＩＩ）で表される化合物のうちで本発明に対して最も好ましい化合物は、一般式（ＸＸ）で表される化合物である。
【０１６４】
ハロゲン化銀乳剤は、一般に化学増感を行なって使用する。化学増感としてはカルコゲン増感（硫黄増感、セレン増感、テルル増感）、貴金属増感（例、金増感）及び還元増感を、それぞれ単独あるいは組み合わせて実施する。
【０１６５】
硫黄増感においては、不安定硫黄化合物を増感剤として用いる。不安定硫黄化合物については、Ｐ．Ｇｒａｆｋｉｄｅｓ著、Ｃｈｉｍｉｅ  ｅｔ  Ｐｈｙｓｉｑｕｅ  Ｐｈｏｔｏｇｒａｐｈｉｑｕｅ（Ｐａｕｌ  Ｍｏｍｔｅｌ社刊、１９８７年、第５版）、Ｒｅｓｅａｒｃｈ  Ｄｉｓｃｌｏｓｕｒｅ誌３０７巻３０７１０５号などに記載がある。硫黄増感剤の例には、チオ硫酸塩（例、ハイポ）、チオ尿素類（例、ジフェニルチオ尿素、トリエチルチオ尿素、Ｎ−エチル−Ｎ′−（４−メチル−２−チアゾリル）チオ尿素、カルボキシメチルトリメチルチオ尿素）、チオアミド類（例、チオアセトアミド）、ローダニン類（例、ジエチルローダニン、５−ベンジリデン−Ｎ−エチル−ローダニン）、フォスフィンスルフィド類（例、トリメチルフォスフィンスルフィド）、チオヒダントイ類、４−オキソ−オキサゾリジン−２−チオン類、ジポリスルフィド類（例、ジモルフォリンジスルフィド、シスチン、ヘキサチオカン−チオン）、メルカプト化合物（例、システィン）、ポリチオン酸塩、元素状硫黄が含まれる。活性ゼラチンも硫黄増感剤として利用できる。
【０１６６】
セレン増感においては、不安定セレン化合物を増感剤として用いる。不安定セレン化合物については、特公昭４３−１３４８９号、同４４−１５７４８号、特開平４−２５８３２号、同４−１０９２４０号、同４−２７１３４１号、同５−４０３２４号に記載がある。セレン増感剤の例には、コロイド状金属セレン、セレノ尿素類（例、Ｎ，Ｎ−ジメチルセレノ尿素、トリフルオルメチルカルボニル−トリメチルセレノ尿素、アセチル−トリメチルセレノ尿素）、セレノアミド類（例、セレノアセトアミド、Ｎ，Ｎ−ジエチルフェニルセレノアミド）、フォスフィンセレニド類（例、トリフェニルフォスフィンセレニド、ペンタフルオロフェニル−トリフェニルフォスフィンセレニド）、セレノフォスフェート類（例、トリ−ｐ−トリルセレノフォスフェート、トリ−ｎ−ブチルセレノフォスフェート））、セレノケトン類（例、セレノベンゾフェノン）、イソセレノシアネート類、セレノカルボン酸類、セレノエステル類およびジアシルセレニド類が含まれる。なお、亜セレン酸、セレノシアン化カリウム、セレナゾール類やセレニド類のような比較的安定なセレン化合物（特公昭４６−４５５３号および同５２−３４４９２号記載）も、セレン増感剤として利用できる。
【０１６７】
テルル増感においては、不安定テルル化合物を増感剤として用いる。不安定テルル化合物については、カナダ国特許第８００，９５８号、英国特許第１，２９５，４６２号、同第１，３９６，６９６号、特開平４−２０４６４０号、同４−２７１３４１号、同４−３３３０４３号および同５−３０３１５７号に記載がある。テルル増感剤の例には、テルロ尿素類（例、テトラメチルテルロ尿素、Ｎ，Ｎ′−ジメチルエチレンテルロ尿素、Ｎ，Ｎ′−ジフェニルエチレンテルロ尿素）、フォスフィンテルリド類（例、ブチル−ジイソプロピルフォスフィンテルリド、トリブチルフォスフィンテルリド、トリブトキシフォスフィンテルリド、エトキシ−ジフェニルフォスフィンテルリド）、ジアシル（ジ）テルリド類（例、ビス（ジフェニルカルバモイル）ジテルリド、ビス（Ｎ−フェニル−Ｎ−メチルカルバモイル）ジテルリド、ビス（Ｎ−フェニル−Ｎ−メチルカルバモイル）テルリド、ビス（エトキシカルボニル）テルリド）、イソテルロシアナート類、テルロアミド類、テルロヒドラジド類、テルロエステル類（例、ブチルヘキシルテルロエステル）、テルロケトン類（例、テルロアセトフェノン）、コロイド状テルル、（ジ）テルリド類およびその他のテルル化合物（ポタシウムテルリド、テルロベンタチオネートナトリウム塩）が含まれる。
【０１６８】
貴金属増感においては、金、白金、パラジウム、イリジュウムなどの貴金属の塩を増感剤として用いる。貴金属塩については、Ｐ．Ｇｒａｆｋｉｄｅｓ著、Ｃｈｉｍｉｅ  ｅｔ  Ｐｈｙｓｉｑｕｅ  Ｐｈｏｔｏｇｒａｐｈｉｑｕｅ（Ｐａｕｌ  Ｍｏｍｔｅｌ社刊、１９８７年、第５版）、Ｒｅｓｅａｒｃｈ  Ｄｉｓｃｌｏｓｕｒｅ誌３０７巻３０７１０５号に記載がある。金増感が特に好ましい。前述したように、本発明は金増感を行なう態様において特に効果がある。
【０１６９】
青酸カリウム（ＫＣＮ）を含む溶液で乳剤粒子上の増感核から金を除去できることは、フォトグラフィック・サイエンス・アンド・エンジニアリング（Ｐｈｏｔｏｇｒａｐｈｉｃ  Ｓｃｉｅｎｃｅ  ａｎｄ  Ｅｎｇｉｎｅｅｒｉｎｇ）  Ｖｏｌ．１９３２２（１９７５）やジャーナル・イメージング・サイエンス（Ｊｏｕｒｎａｌ  ｏｆ  Ｉｍａｇｉｎｇ  Ｓｃｉｅｎｃｅ）  Ｖｏｌ．３２２８（１９８８）で述べられている。これらの記載によれば、シアンイオンがハロゲン化銀粒子に吸着した金原子または金イオンをシアン錯体として遊離させ、結果として金増感を阻害する。本発明に従い、シアンの発生を抑制すれば、金増感の作用を充分に得ることができる。
【０１７０】
金増感の例には、塩化金酸、カリウムクロロオーレート、カリウムオーリチオシアネート、硫化金および金セレナイドが含まれる。また、米国特許第２，６４２，３６１号、同第５，０４９，４８４号および同第５，０４９，４８５号に記載の金化合物も用いることができる。
【０１７１】
本発明の感光材料は、特に限定されず、カラーネガティブ、カラーポジティブ、白／黒感材、映画用ネガ、映画用ポジティブなどが挙げられる。すなわち支持体上に少なくとも１層の感光性層が設けられていればよい。典型的な例としては、支持体上に、実質的に感色性は同じであるが感光度の異なる複数のハロゲン化銀乳剤層から成る感光性層を少なくとも１つ有するハロゲン化銀写真感光材料である。該感光性層はカラー感光材料の場合、青色光、緑色光、および赤色光の何れかに感色性を有する単位感光性層を含むものであり、多層ハロゲン化銀カラー写真感光材料においては、一般に単位感光性層の配列が、支持体側から順に赤感色性層、緑感色性層、青感色性の順に設置される。しかし、目的に応じて上記設置順が逆であっても、また同一感色性層中に異なる感光性層が挟まれたような設置順をもとり得る。上記のハロゲン化銀感光性層の間および最上層、最下層には非感光性層を設けてもよい。これらには、後述のカプラー、ＤＩＲ化合物、混色防止剤等が含まれていてもよい。各単位感光性層を構成する複数のハロゲン化銀乳剤層は、ＤＥ  １，１２１，４７０あるいはＧＢ  ９２３，０４５に記載されているように高感度乳剤層、低感度乳剤層の２層を、支持体に向かって順次感光度が低くなる様に配列するのが好ましい。また、特開昭５７−１１２７５１  、同６２−  ２００３５０、同６２−２０６５４１  、６２−２０６５４３  に記載されているように支持体より離れた側に低感度乳剤層、支持体に近い側に高感度乳剤層を設置してもよい。
【０１７２】
具体例として支持体から最も遠い側から、低感度青感光性層（ＢＬ）／高感度青感光性層（ＢＨ）／高感度緑感光性層（ＧＨ）／低感度緑感光性層（ＧＬ）  ／高感度赤感光性層（ＲＨ）／低感度赤感光性層（ＲＬ）の順、またはＢＨ／ＢＬ／ＧＬ／ＧＨ／ＲＨ／ＲＬの順、またはＢＨ／ＢＬ／ＧＨ／ＧＬ／ＲＬ／ＲＨの順等に設置することができる。
【０１７３】
また特公昭  ５５−３４９３２  公報に記載されているように、支持体から最も遠い側から青感光性層／ＧＨ／ＲＨ／ＧＬ／ＲＬの順に配列することもできる。また特開昭５６−２５７３８、同６２−６３９３６に記載されているように、支持体から最も遠い側から青感光性層／ＧＬ／ＲＬ／ＧＨ／ＲＨの順に配列することもできる。
【０１７４】
また特公昭４９−１５４９５に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭５９−２０２４６４  に記載されているように、同一感色性層中において支持体より離れた側から中感度乳剤層／高感度乳剤層／低感度乳剤層の順に配置されてもよい。
【０１７５】
その他、高感度乳剤層／低感度乳剤層／中感度乳剤層、あるいは低感度乳剤層／中感度乳剤層／高感度乳剤層の順に配置されていてもよい。  また、４層以上の場合にも、上記の如く配列を変えてよい。
【０１７６】
色再現性を改良するために、ＵＳ  ４，６６３，２７１、同  ４，７０５，７４４、同  ４，７０７，４３６、特開昭６２−１６０４４８  、同６３−  ８９８５０  の明細書に記載の、ＢＬ，ＧＬ，ＲＬなどの主感光層と分光感度分布が異なる重層効果のドナー層（ＣＬ）  を主感光層に隣接もしくは近接して配置することが好ましい。
【０１７７】
本発明に用いられる好ましいハロゲン化銀は約３０モル％以下のヨウ化銀を含む、ヨウ臭化銀、ヨウ塩化銀、もしくはヨウ塩臭化銀である。特に好ましいのは約２モル％から約１０モル％までのヨウ化銀を含むヨウ臭化銀もしくはヨウ塩臭化銀である。
【０１７８】
写真乳剤中のハロゲン化銀粒子は、立方体、八面体、十四面体のような規則的な結晶を有するもの、球状、板状のような変則的な結晶形を有するもの、双晶面などの結晶欠陥を有するもの、あるいはそれらの複合形でもよい。
【０１７９】
ハロゲン化銀の粒径は、約０．２μｍ以下の微粒子でも投影面積直径が約１０μｍに至るまでの大サイズ粒子でもよく、多分散剤でも単分散乳剤でもよい。
【０１８０】
本発明に使用できるハロゲン化銀写真乳剤は、例えばリサーチ・ディスクロージャー（以下、ＲＤと略す）Ｎｏ．１７６４３（１９７８年１２月）、２２〜２３頁、“Ｉ．乳剤製造（Ｅｍｕｌｓｉｏｎ  ｐｒｅａｒａｔｉｏｎ  ａｎｄ  ｔｙｐｅｓ）”、および同Ｎｏ．１８７１６（１９７９年１１月）、６４８頁、同Ｎｏ．３０７１０５（１９８９年１１月）、８６３〜８６５頁、およびグラフキデ著「写真の物理と化学」、ポールモンテル社刊（Ｐ．Ｇｌａｆｋｉｄｅｓ，Ｃｈｅｍｉｅ  ｅｔ  Ｐｈｉｓｉｑｕｅ  Ｐｈｏｔｏｇｒａｐｈｉｑｕｅ，Ｐａｕｌ  Ｍｏｎｔｅｌ，１９６７）、ダフィン著「写真乳剤化学」、フォーカルプレス社刊（Ｇ．Ｆ．Ｄｕｆｆｉｎ．Ｐｈｏｔｏｇｒａｐｈｉｃ  ＥｍｕｌｓｉｏｎＣｈｅｍｉｓｔｒｙ，Ｆｏｃａｌ  Ｐｒｅｓｓ，１９６６）、ゼリクマンら著「写真乳剤の製造と塗布」、フォーカルプレス社刊（Ｖ．Ｌ．Ｚｅｌｉｋｍａｎ，ｅｔ  ａｌ．，Ｍａｋｉｎｇ  ａｎｄ  Ｃｏａｔｉｎｇ  Ｐｈｏｔｏｇｒａｐｈｉｃ  Ｅｍｕｌｓｉｏｎ，Ｆｏｃａｌ  Ｐｒｅｓｓ，１９６４）などに記載された方法を用いて調製することができる。
【０１８１】
ＵＳ３，５７４，６２８、同３，６５５，３９４および英国特許（ＧＢ）１，４１３，７４８に記載された単分散剤も好ましい。
【０１８２】
また、アスペクト比が約３以上であるような平板状粒子も本発明に使用することが好ましい。平板状粒子は、ガトフ著、フォトグラフィック・サイエンス・アンド・エンジニアリング（Ｇｕｔｏｆｆ，Ｐｈｏｔｏｇｒａｐｈｉｃ  Ｓｃｉｅｎｃｅ  ａｎｄ  Ｅｎｇｉｎｅｅｒｉｎｇ）、第１４巻、２４８〜２５７頁（１９７０年）；ＵＳ４，４３４，２２６、同４，４１４３１０、同４，４３３，０４８，同４，４３９，５２０およびＧＢ２，１１２，１５７に記載の方法により簡単に調製することができる。
【０１８３】
結晶構造は一様なものでも、内部と外部とが異質なハロゲン組成からなるものでもよく、層状構造をなしていてもよい。エピタキシャル接合によって組成の異なるハロゲン化銀が接合されていてもよく、例えばロダン銀、酸化鉛などのハロゲン化銀以外の化合物と接合されていてもよい。また種々の結晶形の粒子の混合物を用いてもよい。
【０１８４】
上記の乳剤は潜像を主として表面に形成する表面潜像型でも、粒子内部に形成する内部潜像型でも表面と内部のいずれにも潜像を有する型のいずれでもよいが、ネガ型の乳剤であることが必要である。内部潜像型のうち、特開昭６３−２６４７４０号に記載のコア／シェル型内部潜像型乳剤であってもよく、この調製方法は特開昭５９−１３３５４２号に記載されている。この乳剤のシェルの厚みは現像処理等によって異なるが、３〜４０ｎｍが好ましく、５〜２０ｎｍが特に好ましい。
【０１８５】
本発明においては、金属イオンをドーピングすることができる。
【０１８６】
金属イオンとしては、周期律表における第３族、第７族から第１３族もしくは第１５族の第４周期、第５周期または第６周期の金属イオンが挙げられる（例えば、特開平２−２１９０５１号に記載の金属イオン）が、本発明においては第７族、第８族もしくは第９族の第４周期、第５周期または第６周期の金属イオンが好ましい。これらの好ましい金属イオンとして具体的には、Ｃｏ、Ｒｅ、Ｒｈ、Ｒｕ、Ｏｓ、Ｉｒを挙げることができる。これらの金属イオンは、例えば、単塩あるいは金属錯塩の錯体として用いる。単塩としては、ハロゲン化物（塩化物、臭化物など）、硝酸塩、硫酸塩、過塩素酸塩が好ましく用いられる。金属錯体としては、６配位、５配位、４配位あるいは２配位錯体を用いることができ、錯体は単核錯体であっても多核錯体であってもよい。錯体を構成する配位子としては、Ｃｌ−  ，Ｂｒ−  ，ＮＯ２  −  ，ＣＮ−  ，ＳＣＮ−  ，ＳＯ３  ２−，ＳＯ４  ２−，Ｃ２  Ｏ４  ２−，ＣＯ，ＮＨ３  ，アミン類（ＥＤＴＡなど）、Ｃ５  Ｈ５  ，Ｃ６  Ｈ６  ，Ｈ２  Ｏなどを挙げることができる。これらの金属錯体はカリウム塩、ナトリウム塩、アンモニウム塩あるいはセシウム塩の錯体の塩として好ましく用いられる。
【０１８７】
ハロゲン化銀粒子は、転位線を粒子内に有してもよい。ハロゲン化銀粒子中に転位をコントロールして導入する技術に関しては、特開昭６３−２２０２３８号公報に記載がある。この公報の記載によれば、平均粒子直径／粒子厚み比が２以上の平板状ハロゲン化銀粒子の内部に特定の高ヨード相を設け、その外側を該高ヨード相よりもヨード含有率が低い相で覆うことによって転位を導入することができる。この転位の導入により、感度の上昇、保存性の改善、潜像安定性の向上、圧力カブリの減少等の効果が得られる。この公報記載の発明によれば、転位は主に平板状粒子のエッジ部に導入される。また、中心部に転位が導入された平板状粒子については、米国特許第５２３８７９６号明細書に記載がある。さらに、特開平４−３４８３３７号公報には、内部に転位を有する正常晶粒子が開示されている。同公報には、正常晶粒子に塩化銀または塩臭化銀のエピタキシーを生成し、そのエピタキシーを物理熟成および／またはハロゲンによるコンバーションによって転位を導入できることが開示されている。このような転位の導入によって、感度の上昇および圧力カブリの減少という効果が得られる。さらに沃化銀微粒子、沃臭化銀微粒子を用いて転位を導入することが好ましい。
【０１８８】
ハロゲン化銀粒子中の転位線は、例えば、Ｊ．Ｆ．Ｈａｍｉｌｔｏｎ，Ｐｈｏｔｏ．Ｓｃｉ．Ｅｎｇ．１１，５７（１９６７）や、Ｔ．Ｓｈｉｏｚａｗａ，Ｊ．Ｓｏｃ．Ｐｈｏｔｏ．Ｓｃｉ．Ｊａｐａｎ  ３５，２１３（１９７２）に記載の、低温での透過型電子顕微鏡を用いた直接法により観察することができる。すなわち、乳剤から転位が発生するほどの圧力をかけないように注意して取り出したハロゲン化銀粒子を、電子顕微鏡観察用のメッシュにのせ、電子線による損傷（プリントアウト）を防ぐように試料を冷却した状態で透過法により観察を行なう。この時、粒子の厚みが厚いほど、電子線が通過しにくくなるので、高圧型（０．２５μｍの厚さの粒子に対し２００ｋｖ以上）の電子顕微鏡を用いた方がより鮮明に観察することができる。このような方法により得られた粒子の写真により、主平面に対し垂直な面から見た場合の各粒子についての転位線の位置および数を求めることができる。
【０１８９】
本発明は、ハロゲン化銀粒子のうち、５０％以上の個数の粒子が一粒子当り１０本以上の転位線を含む場合に特に効果がある。
【０１９０】
ハロゲン化銀乳剤は、通常、物理熟成、化学熟成および分光増感を行なったものを使用する。このような工程で使用される添加剤はＲＤＮｏ．１７６４３、同ＮＯ．１８７１６および同Ｎｏ．３０７１０５に記載されており、その該当箇所を後掲の表にまとめた。
【０１９１】
本発明の感光材料には、感光性ハロゲン化銀乳剤の粒子サイズ、粒子サイズ分布、ハロゲン組成、粒子の形状、感度の少なくとも１つの特性の異なる２種類以上の乳剤を、同一層中に混合して使用することができる。
【０１９２】
ＵＳ４，０８２，５５３記載の粒子表面をかぶらせたハロゲン化銀粒子、ＵＳ４，６２６，４９８、特開昭５９−２１４８５２に記載の粒子内部をかぶらせたハロゲン化銀粒子、コロイド銀を感光性ハロゲン化銀乳剤層および／または実質的に非感光性の親水性コロイド層に適用することが好ましい。粒子内部または表面をかぶらせたハロゲン化銀粒子とは、感光材料の未露光部および露光部を問わず、一様に（非像様に）現像が可能となるハロゲン化銀粒子のことをいい、その調製法は、ＵＳ４，６２６，４９８、特開昭５９−２１４８５２に記載されている。粒子内部がかぶらされたコア／シェル型ハロゲン化銀粒子の内部核を形成するハロゲン化銀は、ハロゲン組成が異なっていてもよい。粒子内部または表面をかぶらせたハロゲン化銀としては、塩化銀、塩臭化銀、沃臭化銀、塩沃臭化銀のいずれをも用いることができる。これらのかぶらされたハロゲン化銀粒子の平均粒子サイズとしては０．０１〜０．７５μｍ、特に０．０５〜０．６μｍが好ましい。また、粒子形状は規則的な粒子でもよく、多分散乳剤でもよいが、単分散性（ハロゲン化銀粒子の重量または粒子数の少なくとも９５％が平均粒子径の±４０％以内の粒子径を有するもの）であることが好ましい。
【０１９３】
本発明には、非感光性微粒子ハロゲン化銀を使用することが好ましい。非感光性微粒子ハロゲン化銀とは、色素画像を得るための像様露光時においては感光せずに、その現像処理において実質的に現像されないハロゲン化銀微粒子であり、あらかじめカブラされていないほうが好ましい。微粒子ハロゲン化銀は、臭化銀の含有率が  ０〜  １００モル％であり、必要に応じて塩化銀および／または沃化銀を含有してもよい。好ましくは沃化銀を  ０．５〜１０モル％含有するものである。微粒子ハロゲン化銀は、平均粒径（投影面積の円相当直径の平均値）が０．０１〜  ０．５μｍ  が好ましく、０．０２〜  ０．２μｍ  がより好ましい。
【０１９４】
微粒子ハロゲン化銀は、通常の感光性ハロゲン化銀と同様の方法で調製できる。ハロゲン化銀粒子の表面は、光学的に増感される必要はなく、また分光増感も不要である。ただし、これを塗布液に添加するのに先立ち、あらかじめトリアゾール系、アザインデン系、ベンゾチアゾリウム系、もしくはメルカプト系化合物または亜鉛化合物などの公知の安定剤を添加しておくことが好ましい。この微粒子ハロゲン化銀粒子含有層に、コロイド銀を含有させることができる。
【０１９５】
本発明の感光材料の塗布銀量は、１０．０ｇ／  ｍ２  以下が好ましく、６．０ｇ／  ｍ２以下がより好ましく、４．５ｇ／  ｍ２以下が最も好ましい。
【０１９６】
本発明に使用できる写真用添加剤もＲＤに記載されており、下記の表に関連する記載箇所を示した。
【０１９７】
【表１】
0003579195.tif 000048
本発明の感光材料には種々の色素形成カプラーを使用することができるが、以下のカプラーが特に好ましい。
イエローカプラー；ＥＰＡ  ５０２，４２４Ａの式（Ｉ），（ＩＩ）で表されるカプラー；ＥＰ  ５１３，４９６Ａ  の式（１）  、（２）  で表されるカプラー（特に１８頁のＹ−２８）；  ＥＰ  ５６８，０３７Ａのクレーム１の式（Ｉ）  で表わされるカプラー；  ＵＳ  ５，０６６，５７６のカラム１の４５〜５５行の一般式（Ｉ）  で表わされるカプラー；  特開平４−２７４４２５の段落０００８の一般式（Ｉ）  で表わされるカプラー；  ＥＰ  ４９８，３８１Ａ１の４０頁のクレーム１に記載のカプラー（特に１８頁のＤ−３５）；  ＥＰ  ４４７，９６９Ａ１  の４頁の式（Ｙ）  で表わされるカプラー（特にＹ−１（１７頁），Ｙ−５４（４１  頁））；  ＵＳ  ４，４７６，２１９のカラム７の３６〜５８行の式（ＩＩ）〜（ＩＶ）で表わされるカプラー（特にＩＩ−１７，１９（  カラム１７），ＩＩ−２４（カラム１９））。
マゼンタカプラー；  特開平３−３９７３７（Ｌ−５７（１１  頁右下），Ｌ−６８（１２  頁右下），Ｌ−７７（１３  頁右下）；  ＥＰ  ４５６，２５７  の［Ａ−４］−６３（１３４頁），［Ａ−４］−７３，−７５（１３９頁）；  ＥＰ  ４８６，９６５  のＭ−４，−６（２６  頁），Ｍ−７（２７頁）；  ＥＰ  ５７１，９５９ＡのＭ−４５（１９  頁）；特開平５−２０４１０６の（Ｍ−１）（６  頁）；特開平４−３６２６３１の段落０２３７のＭ−２２。
シアンカプラー：  特開平４−２０４８４３のＣＸ−１，３，４，５，１１，１２，１４，１５（１４  〜１６頁）；  特開平４−４３３４５  のＣ−７，１０（３５  頁），３４，３５（３７頁），（Ｉ−１），（Ｉ−１７）（４２  〜４３頁）；  特開平６−６７３８５  の請求項１の一般式（Ｉａ）または（Ｉｂ）で表わされるカプラー。
ポリマーカプラー：  特開平２−４４３４５  のＰ−１，Ｐ−５（１１頁）  。
【０１９８】
発色色素が適度な拡散性を有するカプラーとしては、ＵＳ  ４，３６６，２３７、ＧＢ  ２，１２５，５７０、ＥＰ  ９６，８７３Ｂ、ＤＥ  ３，２３４，５３３に記載のものが好ましい。
【０１９９】
発色色素の不要吸収を補正するためのカプラーは、ＥＰ  ４５６，２５７Ａ１の５  頁に記載の式（ＣＩ），（ＣＩＩ），（ＣＩＩＩ），（ＣＩＶ）  で表わされるイエローカラードシアンカプラー（特に８４頁のＹＣ−８６）、該ＥＰに記載のイエローカラードマゼンタカプラーＥｘＭ−７（２０２  頁）  、  ＥＸ−１（２４９  頁）  、  ＥＸ−７（２５１  頁）  、ＵＳ  ４，８３３，０６９に記載のマゼンタカラードシアンカプラーＣＣ−９  （カラム８）、ＣＣ−１３（カラム１０）  、ＵＳ  ４，８３７，１３６の（２）（カラム８）、ＷＯ９２／１１５７５のクレーム１の式（Ａ）  で表わされる無色のマスキングカプラー（特に３６〜４５頁の例示化合物）が好ましい。
【０２００】
現像主薬酸化体と反応して写真的に有用な化合物残基を放出する化合物（カプラーを含む）としては、以下のものが挙げられる。現像抑制剤放出化合物：ＥＰ  ３７８，２３６Ａ１の１１頁に記載の式（Ｉ），（ＩＩ），（ＩＩＩ），（ＩＶ）  で表わされる化合物（特にＴ−１０１（３０頁），Ｔ−１０４（３１頁），Ｔ−１１３（３６頁），Ｔ−１３１（４５頁），Ｔ−１４４（５１頁），Ｔ−１５８（５８頁）），  ＥＰ  ４３６，９３８Ａ２の  ７頁に記載の式（Ｉ）  で表わされる化合物（特にＤ−４９（５１  頁））、ＥＰ  ５６８，０３７Ａ  の式（１）  で表わされる化合物（特に（２３）（１１  頁））、ＥＰ  ４４０，１９５Ａ２の５  〜６  頁に記載の式（Ｉ），（ＩＩ），（ＩＩＩ）で表わされる化合物（特に２９頁のＩ−（１）  ）；漂白促進剤放出化合物：ＥＰ  ３１０，１２５Ａ２の５  頁の式（Ｉ），（Ｉ´）で表わされる化合物（特に６１頁の（６０），（６１））  及び特開平６−５９４１１  の請求項１の式（Ｉ）  で表わされる化合物（特に（７）（７  頁）  ；リガンド放出化合物：ＵＳ  ４，５５５，４７８のクレーム１に記載のＬＩＧ−Ｘ  で表わされる化合物（特にカラム１２の２１〜４１行目の化合物）  ；ロイコ色素放出化合物：ＵＳ  ４，７４９，６４１のカラム３〜８の化合物１〜６；蛍光色素放出化合物：ＵＳ  ４，７７４，１８１のクレーム１のＣＯＵＰ−ＤＹＥで表わされる化合物（特にカラム７〜１０の化合物１〜１１）；現像促進剤又はカブラセ剤放出化合物：ＵＳ  ４，６５６，１２３のカラム３の式（１）  、（２）  、（３）  で表わされる化合物（特にカラム２５の（Ｉ−２２））  及びＥＰ  ４５０，６３７Ａ２の７５頁３６〜３８行目のＥｘＺＫ−２；  離脱して初めて色素となる基を放出する化合物：  ＵＳ  ４，８５７，４４７のクレーム１の式（Ｉ）  で表わされる化合物（特にカラム２５〜３６のＹ−１  〜Ｙ−１９）  。
【０２０１】
カプラー以外の添加剤としては、以下のものが好ましい。
【０２０２】
油溶性有機化合物の分散媒：  特開昭６２−２１５２７２  のＰ−３，５，１６，１９，２５，３０，４２，４９，５４，５５，６６，８１，８５，８６，９３（１４０〜１４４  頁）；  油溶性有機化合物の含浸用ラテックス：  ＵＳ  ４，１９９，３６３に記載のラテックス；  現像主薬酸化体スカベンジャー：  ＵＳ  ４，９７８，６０６のカラム２の５４〜６２行の式（Ｉ）  で表わされる化合物（特にＩ−，（１），（２），（６），（１２）  （カラム４〜５）、ＵＳ  ４，９２３，７８７のカラム２の５〜１０行の式（特に化合物１（カラム３）；  ステイン防止剤：  ＥＰ  ２９８３２１Ａの４頁３０〜３３行の式（Ｉ）  〜（ＩＩＩ），特にＩ−４７，７２，ＩＩＩ−１，２７（２４  〜４８頁）；  褪色防止剤：  ＥＰ  ２９８３２１ＡのＡ−６，７，２０，２１，２３，２４，２５，２６，３０，３７，４０，４２，４８，６３，９０，９２，９４，１６４（６９  〜１１８  頁），  ＵＳ５，１２２，４４４のカラム２５〜３８のＩＩ−１〜ＩＩＩ−２３，  特にＩＩＩ−１０，  ＥＰ  ４７１３４７Ａの８  〜１２頁のＩ−１  〜ＩＩＩ−４，特にＩＩ−２，  ＵＳ  ５，１３９，９３１のカラム３２〜４０のＡ−１  〜４８，  特にＡ−３９，４２；  発色増強剤または混色防止剤の使用量を低減させる素材：  ＥＰ  ４１１３２４Ａの５  〜２４頁のＩ−１  〜ＩＩ−１５，特にＩ−４６；  ホルマリンスカベンジャー：  ＥＰ  ４７７９３２Ａの２４〜２９頁のＳＣＶ−１  〜２８，  特にＳＣＶ−８；  硬膜剤：  特開平１−２１４８４５の１７頁のＨ−１，４，６，８，１４，  ＵＳ  ４，６１８，５７３のカラム１３〜２３の式（ＶＩＩ）  〜（ＸＩＩ）  で表わされる化合物（Ｈ−１〜５４），特開平２−２１４８５２の８頁右下の式（６）  で表わされる化合物（Ｈ−１〜７６），特にＨ−１４，  ＵＳ  ３，３２５，２８７のクレーム１に記載の化合物；  現像抑制剤プレカーサー：  特開昭６２−１６８１３９  のＰ−２４，３７，３９（６〜７  頁）；  ＵＳ  ５，０１９，４９２  のクレーム１に記載の化合物，特にカラム７の２８，２９；  防腐剤、防黴剤：  ＵＳ  ４，９２３，７９０のカラム３  〜１５のＩ−１  〜ＩＩＩ−４３，  特にＩＩ−１，９，１０，１８，ＩＩＩ−２５；  安定剤、かぶり防止剤：  ＵＳ  ４，９２３，７９３のカラム６  〜１６のＩ−１  〜（１４），  特にＩ−１，６０，（２），（１３），  ＵＳ  ４，９５２，４８３  のカラム２５〜３２の化合物１〜６５，  特に３６：  化学増感剤：  トリフェニルホスフィン  セレニド，  特開平５−４０３２４  の化合物５０；  染料：  特開平３−１５６４５０の１５〜１８頁のａ−１  〜ｂ−２０，  特にａ−１，１２，１８，２７，３５，３６，ｂ−５，２７  〜２９頁のＶ−１  〜２３，  特にＶ−１，  ＥＰ  ４４５６２７Ａ  の３３〜５５頁のＦ−Ｉ−１  〜Ｆ−ＩＩ−４３，特にＦ−Ｉ−１１，Ｆ−ＩＩ−８，  ＥＰ  ４５７１５３Ａ  の１７〜２８頁のＩＩＩ−１  〜３６，  特にＩＩＩ−１，３，  ＷＯ  ８８／０４７９４の８〜２６のＤｙｅ−１  〜１２４  の微結晶分散体，  ＥＰ  ３１９９９９Ａの６〜１１頁の化合物１〜２２，  特に化合物１，  ＥＰ  ５１９３０６Ａ  の式（１）  ないし（３）  で表わされる化合物Ｄ−１  〜８７（３〜２８頁），ＵＳ  ４，２６８，６２２の式（Ｉ）  で表わされる化合物１〜２２  （カラム３〜１０），  ＵＳ  ４，９２３，７８８  の式（Ｉ）  で表わされる化合物（１）  〜（３１）  （カラム２〜９）；  ＵＶ吸収剤：  特開昭４６−３３３５  の式（１）  で表わされる化合物（１８ｂ）  〜（１８ｒ），１０１  〜４２７（６〜９頁），ＥＰ  ５２０９３８Ａの式（Ｉ）  で表わされる化合物（３）  〜（６６）（１０  〜４４頁）  及び式（ＩＩＩ）  で表わされる化合物ＨＢＴ−１  〜１０（１４  頁），  ＥＰ  ５２１８２３Ａ  の式（１）  で表わされる化合物（１）  〜（３１）  （カラム２〜９）。
【０２０３】
本発明に使用できる適当な支持体は、例えば、前述のＲＤ．Ｎｏ．１７６４３の２８頁、同Ｎｏ．１８７１６の６４７頁右欄から６４８頁左欄、および同Ｎｏ．３０７１０５の８７９頁に記載されている。
【０２０４】
本発明の感光材料は、乳剤層を有する側の全親水性コロイド層の膜厚の総和が２８μｍ以下であることが好ましく、２３μｍ以下がより好ましく、１８μｍ以下が更に好ましく、１６μｍ以下が特に好ましい。また膜膨潤速度Ｔ１／２  が３０秒以下が好ましく、２０秒以下がより好ましい。ここでの膜厚は、２５℃相対湿度５５％調湿下（２日）で測定した膜厚を意味する。また、膜膨潤速度Ｔ１／２  は当該技術分野において公知の手法に従って測定することができ、例えばエー・グリーン（Ａ．Ｇｒｅｅｎ）らによりフォトグラフィック・サイエンス・アンド・エンジニアリング（Ｐｈｏｔｏｇｒ．Ｓｃｉ．Ｅｎｇ．）、１９巻、２号、１２４〜１２９頁に記載の型のスエロメーター（膨潤計）を使用することにより測定できる。なお、Ｔ１／２  は発色現像液で３０℃、３分１５秒処理した時に到達する最大膨潤膜厚の９０％を飽和膜厚とし、飽和膜厚の１／２に到達するまでの時間と定義する。
【０２０５】
膜膨潤速度Ｔ１／２  は、バインダーとしてのゼラチンに硬膜剤を加えること、あるいは塗布後の経時条件を変えることによって調整することができる。
【０２０６】
本発明の感光材料は、乳剤層を有する側の反対側に、乾燥膜厚の総和が２μｍ〜２０μｍの親水性コロイド層（バック層と称す）を設けることが好ましい。このバック層には、例えば、前述の光吸収剤、フィルター染料、紫外線吸収剤、スタチック防止剤、硬膜剤、バインダー、可塑剤、潤滑剤、塗布助剤、表面活性剤を含有させることが好ましい。このバック層の膨潤率は１５０〜５００％が好ましい。
【０２０７】
本発明に従ったカラー写真感光材料は、前述のＲＤ．Ｎｏ．１７６４３の２８〜２９頁、同Ｎｏ．１８７１６の６５１頁左欄〜右欄、および同Ｎｏ．３０７１０５の８８０〜８８１頁に記載された通常の方法によって現像処理することができる。
【０２０８】
本発明の感光材料の現像処理に用いる発色現像液は、好ましくは芳香族第一級アミン系発色現像主薬を主成分とするアルカリ性水溶液である。この発色現像主薬としては、アミノフェノール系化合物も有用であるが、ｐ−フェニレンジアミン系化合物が好ましく使用され、その代表例及び好ましい例としてはＥＰ５５６７００Ａ  の２８頁４３〜５２行目に記載の化合物が挙げられる。これらの化合物は目的に応じ２種以上併用することもできる。
【０２０９】
発色現像液は、アルカリ金属の炭酸塩、ホウ酸塩もしくはリン酸塩のようなｐＨ緩衝剤、塩化物塩、臭化物塩、沃化物塩、ベンズイミダゾール類、ベンゾチアゾール類もしくはメルカプト化合物のような現像抑制剤またはかぶり防止剤を含むのが一般的である。また必要に応じて、ヒドロキシルアミン、ジエチルヒドロキシルアミン、亜硫酸塩、Ｎ，Ｎ−ビスカルボキシメチルヒドラジンの如きヒドラジン類、フェニルセミカルバジド類、トリエタノールアミン、カテコールスルホン酸類の如き各種保恒剤；エチレングリコール、ジエチレングリコールのような有機溶剤；ベンジルアルコール、ポリエチレングリコール、四級アンモニウム塩、アミン類のような現像促進剤；色素形成カプラー、競争カプラー、１−フェニル−３−ピラゾリドンのような補助現像主薬；粘性付与剤；アミノポリカルボン酸、アミノポリホスホン酸、アルキルホスホン酸、ホスホノカルボン酸に代表されるような各種キレート剤を用いることができる。キレート剤としては、例えば、エチレンジアミン四酢酸、ニトリル三酢酸、ジエチレントリアミン五酢酸、シクロヘキサンジアミン四酢酸、ヒドロキシエチルイミノジ酢酸、１−ヒドロキシエチリデン−１，１−ジホスホン酸、ニトリロ−Ｎ，Ｎ，Ｎ−トリメチレンホスホン酸、エチレンジアミン−Ｎ，Ｎ，Ｎ，Ｎ−テトラメチレンホスホン酸、エチレンジアミン−ジ（ｏ−ヒドロキシフェニル酢酸）及びそれらの塩を代表例として挙げることができる。
【０２１０】
また、反転処理を実施する場合は、通常黒白現像を行なってから発色現像する。この黒白現像液には、例えば、ハイドロキノンのようなジヒドロキシベンゼン類、例えば、１−フェニル−３−ピラゾリドンのような３−ピラゾリドン類、または例えば、Ｎ−メチル−ｐ−アミノフェノールのようなアミノフェノール類の公知の黒白現像主薬を単独であるいは組み合わせて用いることができる。これらの発色現像液及び黒白現像液のｐＨは、９〜１２であることが一般的である。また、これらの現像液の補充量は、処理するカラー写真感光材料にもよるが、一般に感光材料１平方メートル当たり３リットル以下であり、補充液中の臭化物イオン濃度を低減させておくことにより５００ｍｌ以下にすることもできる。補充量を低減する場合には、処理液の空気との接触面積を小さくすることによって液の蒸発、空気酸化を防止することが好ましい。
【０２１１】
処理槽での写真処理液と空気との接触面積は、以下に定義する開口率で表わすことができる。即ち、
開口率＝［処理液と空気との接触面積（ｃｍ２  ）］÷［処理液の容量（ｃｍ３  ）］
上記の開口率は０．１以下であることが好ましく、より好ましくは０．００１〜０．０５である。このように開口率を低減させる方法としては、処理槽の写真処理液面に、例えば浮き蓋のような遮蔽物を設ける方法に加えて、特開平１−８２０３３号に記載された可動蓋を用いる方法、特開昭６３−２１６０５０号に記載されたスリット現像処理方法を挙げることができる。開口率を低減させることは、発色現像及び黒白現像の両工程のみならず、後続の諸工程、例えば、漂白、漂白定着、定着、水洗、安定化の全ての工程において適用することが好ましい。また、現像液中の臭化物イオンの蓄積を抑える手段を用いることにより、補充量を低減することもできる。
【０２１２】
発色現像処理の時間は通常２〜５分の間で設定されるが、高温高ｐＨとし、かつ発色現像主薬を高濃度に使用することにより、更に処理時間の短縮を図ることもできる。
【０２１３】
発色現像後の写真乳剤層は通常漂白処理される。漂白処理は定着処理と同時に行なわれてもよいし（漂白定着処理）、個別に行なわれてもよい。更に処理の迅速化を図るため、漂白処理後に漂白定着処理する処理方法でもよい。さらに、二槽の連続した漂白定着浴で処理すること、漂白定着処理の前に定着処理すること、又は漂白定着処理後に漂白処理することも目的に応じ任意に実施できる。漂白剤としては、例えば、鉄（ＩＩＩ）のような多価金属の化合物、過酸類（特に、過硫酸ソーダは映画用カラーネガフィルムに適する）、キノン類、ニトロ化合物が用いられる。代表的漂白剤としては、鉄（ＩＩＩ）の有機錯塩、例えば、エチレンジアミン四酢酸、ジエチレントリアミン五酢酸、シクロヘキサンジアミン四酢酸、メチルイミノ二酢酸、１，３−ジアミノプロパン四酢酸、グリコールエーテルジアミン四酢酸のようなアミノポリカルボン酸類との錯塩、または、例えば、クエン酸、酒石酸、リンゴ酸との錯塩を用いることができる。これらのうち、エチレンジアミン四酢酸鉄（ＩＩＩ）錯塩、及び１，３−ジアミノプロパン四酢酸鉄（ＩＩＩ）錯塩をはじめとするアミノポリカルボン酸鉄（ＩＩＩ）錯塩は、迅速処理と環境汚染防止の観点から好ましい。さらに、アミノボリカルボン酸鉄（ＩＩＩ）錯塩は、漂白液においても、漂白定着液においても特に有用である。これらのアミノポリカルボン酸鉄（ＩＩＩ）錯塩を用いた漂白液又は漂白定着液のｐＨは通常４．０〜８であるが、処理の迅速化のためにさらに低いｐＨで処理することもできる。
【０２１４】
漂白液、漂白定着液及びそれらの前浴には、必要に応じて漂白促進剤を使用することができる。有用な漂白促進剤の具体例は、次の明細書に記載されている：例えば、米国特許第３，８９３，８５８号、西独特許第１，２９０，８１２号、同第２，０５９，９８８号、特開昭５３−３２７３６号、同５３−５７８３１号、同５３−３７４１８号、同５３−７２６２３号、同５３−９５６３０号、同５３−９５６３１号、同５３−１０４２３２号、同５３−１２４４２４号、同５３−１４１６２３号、同５３−１８４２６号、リサーチ・ディスクロージャーＮｏ．１７１２９号（１９７８号７月）に記載のメルカプト基またはジスルフィド基を有する化合物；特開昭５１−１４０１２９号に記載のチアゾリジン誘導体；特公昭４５−８５０６号、特開昭５２−２０８３２号、同５３−３２７３５号、米国特許第３，７０６，５６１号に記載のチオ尿素誘導体、西独特許第１，１２７，７１５号、特開昭５８−１６，２３５号に記載の沃化物塩；西独特許第９６６，４１０号、同第２，７４８，４３０号に記載のポリオキシエチレン化合物類；特公昭４５−８８３６号に記載のポリアミン化合物；その他特開昭４９−４０９４３号、同４９−５９６４４号、同５３−９４９２７号、同５４−３５７２７号、同５５−２６５０６号、同５８−１６３９４０号記載の化合物；臭化物イオン等が使用できる。なかでも、メルカプト基またはジスルフィド基を有する化合物が促進効果が大きい観点で好ましく、特に米国特許第３，８９３，８５８号、西独特許第１，２９０，８１２号、特開昭５３−９５６３０号に記載の化合物が好ましい。更に、米国特許第４，５５２，８８４号に記載の化合物も好ましい。これらの漂白促進剤は感材中に添加してもよい。撮影用のカラー感光材料を漂白定着するときに、これらの漂白促進剤は特に有効である。
【０２１５】
漂白液や漂白定着液には上記の化合物の他に、漂白ステインを防止する目的で有機酸を含有させることが好ましい。特に好ましい有機酸は、酸解離定数（ｐＫａ）が２〜５である化合物で、具体的には、例えば、酢酸、プロピオン酸、ヒドロキシ酢酸を挙げることができる。
【０２１６】
定着液や漂白定着液に用いられる定着剤としては、例えば、チオ硫酸塩、チオシアン酸塩、チオエーテル系化合物、チオ尿素類、多量の沃化物塩を挙げることができる。このなかではチオ硫酸塩の使用が一般的であり、特にチオ硫酸アンモニウムが最も広範に使用できる。また、チオ硫酸塩と、例えば、チオシアン酸塩、チオエーテル系化合物、チオ尿素の併用も好ましい。定着液や漂白定着液の保恒剤としては、亜硫酸塩、重亜硫酸塩、カルボニル重亜硫酸付加物あるいは欧州特許第２９４，７６９Ａ号に記載のスルフィン酸化合物が好ましい。更に、定着液や漂白定着液には、液の安定化の目的で、各種アミノポリカルボン酸類や有機ホスホン酸類の添加が好ましい。
【０２１７】
本発明において、定着液または漂白定着液には、ｐＨ調整のためにｐＫａが６．０〜９．０の化合物、好ましくはイミダゾール、１−メチルイミダゾール、１−エチルイミダゾール、２−メチルイミダゾールの如きイミダゾール類を０．１〜１０モル／リットル添加することが好ましい。
【０２１８】
脱銀工程の時間の合計は、脱銀不良が生じない範囲で短い方が好ましい。好ましい時間は１分〜３分、更に好ましくは１分〜２分である。また、処理温度は２５℃〜５０℃、好ましくは３５℃〜４５℃である。好ましい温度範囲においては脱銀速度が向上し、かつ処理後のステイン発生が有効に防止される。
【０２１９】
脱銀工程においては、攪拌ができるだけ強化されていることが好ましい。攪拌強化の具体的な方法としては、特開昭６２−１８３４６０号に記載の感光材料の乳剤面に処理液の噴流を衝突させる方法や、特開昭６２−１８３４６１号に回転手段を用いて攪拌効果を上げる方法が挙げられる。更には、液中に設けられたワイパーブレードと乳剤面を接触させながら感光材料を移動させ、乳剤表面を乱流化することによってより攪拌効果を向上させる方法や、処理液全体の循環流量を増加させる方法が挙げられる。このような攪拌向上手段は、漂白液、漂白定着液、定着液のいずれにおいても有効である。攪拌の向上は、乳剤膜中への漂白剤および、定着剤の供給を速め、結果として脱銀速度を高めるものと考えられる。また、前記の攪拌向上手段は漂白促進剤を使用した場合により有効であり、促進効果を著しく増加させたり、漂白促進剤により定着阻害作用を解消させることができる。
【０２２０】
本発明の感光材料の現像に用いられる自動現像機は、特開昭６０−１９１２５７号、同６０−１９１２５８号、同６０−１９１２５９号に記載の感光材料搬送手段を有していることが好ましい。前記の特開昭６０−１９１２５７号に記載のとおり、このような搬送手段は前浴から後浴への処理液の持込みを著しく削減でき、処理液の性能劣化を防止する効果が高い。このような効果は、各工程における処理時間の短縮や処理液補充量の低減に特に有効である。
【０２２１】
本発明のハロゲン化銀写真感光材料は、脱銀処理後、水洗及び／又は安定工程を経るのが一般的である。水洗工程での水洗水量は、感光材料の特性（例えば、カプラーのような使用素材による）、用途、更には、例えば、水洗水温、水洗タンクの数（段数）、向流、順流のような補充方式、その他種々の条件に応じて広範囲に設定し得る。このうち、多段向流方式における水洗タンク数と水量の関係は、Ｊｏｕｒｎａｌ  ｏｆ  ｔｈｅ  Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ  第６４巻、Ｐ．２４８〜２５３（１９５５年５月号）に記載の方法で求めることができる。前記文献に記載の多段向流方式によれば、水洗水量を大幅に減少し得るが、タンク内における水の滞留時間の増加によりバクテリアが繁殖し、生成した浮遊物が感光材料に付着するというような問題が生じる。本発明のカラー感光材料の処理おいては、このような問題の解決策として、特開昭６２−２８８８３８号に記載のカルシウムイオン、マグネシウムイオンを低減させる方法を極めて有効に用いることができる。また、特開昭５７−８５４２号に記載の、例えば、イソチアゾロン化合物やサイアベンダゾール類、塩素化イソシアヌール酸ナトリウムのような塩素系殺菌剤、その他、例えば、ベンゾトリアゾールのような、堀口博著「防菌防黴剤の化学」（１９８６年）三共出版、衛生技術会編「微生物の滅菌、殺菌、防黴技術」（１９８２年）工業技術会、日本防菌防黴学会編「防菌防黴剤事典」（１９８６年）に記載の殺菌剤を用いることもできる。
【０２２２】
本発明の感光材料の処理おける水洗水のｐＨは、４〜９、好ましくは５〜８である。水洗水温および水洗時間も、例えば感光材料の特性、用途に応じて種々設定し得るが、一般には、１５〜４５℃で２０秒〜１０分、好ましくは２５〜４０℃で３０秒〜５分の範囲が選択される。更に、本発明の感光材料は、上記水洗に代えて、直接安定液によって処理することもできる。このような安定化処理においては、特開昭５７−８５４３号、同５８−１４８３４号、同６０−２２０３４５号に記載の公知の方法はすべて用いることができる。
【０２２３】
また、前記水洗処理に続いて、更に安定化処理する場合もある。その例として、撮影用カラー感光材料の最終浴として使用される、色素安定化剤と界面活性剤を含有する安定浴を挙げることができる。色素安定化剤としては、例えば、ホルマリンやグルタルアルデヒドのようなアルデヒド類、Ｎ−メチロール化合物、ヘキサメチレンテトラミンあるいはアルデヒド亜硫酸酸付加物を挙げることができる。この安定浴にも、各種キレート剤や防黴剤を加えることができる。
【０２２４】
上記水洗及び／又は安定液の補充に伴うオーバーフロー液は脱銀工程のような他の工程において再利用することもできる。
【０２２５】
例えば自動現像機を用いた処理において、上記の各処理液が蒸発により濃縮化する場合には、水を加えて濃縮補正することが好ましい。
【０２２６】
本発明のハロゲン化銀カラー写真感光材料には、処理の簡略化及び迅速化の目的で発色現像主薬を内蔵させても良い。内蔵させるためには、発色現像主薬の各種プレカーサーを用いるのが好ましい。例えば、米国特許第３，３４２，５９７号記載のインドアニリン系化合物、例えば、同第３，３４２，５９９号、リサーチ・ディスクロージャーＮｏ．１４，８５０及び同Ｎｏ．１５，１５９に記載のシッフ塩基型化合物、同Ｎｏ．１３，９２４に記載のアルドール化合物、米国特許第３，７１９，４９２号に記載の金属塩錯体、特開昭５３−１３５６２８号に記載のウレタン系化合物を挙げることができる。
【０２２７】
本発明のハロゲン化銀写真感光材料は、必要に応じて、発色現像を促進する目的で、各種の１−フェニル−３−ピラゾリドン類を内蔵しても良い。典型的な化合物は、例えば、特開昭５６−６４３３９号、同５７−１４４５４７号、および同５８−１１５４３８号に記載されている。
【０２２８】
本発明における各種処理液は、１０℃〜５０℃において使用される。通常は３３℃〜３８℃の温度が標準的であるが、より高温にして処理を促進し処理時間を短縮したり、逆により低温にして画質の向上や処理液の安定性の改良を達成することができる。
【０２２９】
本発明は透明磁気記録層を有するハロゲン化銀写真感光材料に好ましくは適応できる。本発明で用いる磁気記録を担持したハロゲン化銀感材は、特開平６−３５１１８、特開平６−１７５２８、発明協会公開技報９４−６０２３に詳細に記載される予め熱処理したポリエステルの薄層支持体、例えば、ポリエチレン芳香族ジカルボキシレート系ポリエステル支持体で、５０μｍ〜３００μｍ、好ましくは５０μｍ〜２００μｍ、より好ましくは８０〜１１５μｍ、特に好ましくは８５〜１０５μｍを４０℃以上、ガラス転移点温度以下の温度で１〜１５００時間熱処理（アニール）し、特公昭４３−２６０３、特公昭４３−２６０４、特公昭４５−３８２８記載の紫外線照射、特公昭４８−５０４３、特開昭５１−１３１５７６等に記載のコロナ放電、特公昭３５−７５７８、特公昭４６−４３４８０記載のグロー放電等の表面処理し、ＵＳ５，３２６，６８９に記載の下塗りを行い必要に応じＵＳ２，７６１，７９１に記載された下引き層を設け、特開昭５９−２３５０５、特開平４−１９５７２６、特開平６−５９３５７記載の強磁性体粒子を塗布すれば良い。
【０２３０】
なお、上述した磁性層は特開平４−１２４６４２、特開平４−１２４６４５に記載されたストライプ状でも良い。
【０２３１】
更に、必要に応じ、特開平４−６２５４３の帯電防止処理をし、最後にハロゲン化銀乳剤を塗布した物を用いる。ここで用いるハロゲン化銀乳剤は特開昭平４−１６６９３２、特開平３−４１４３６、特開平３−４１４３７を用いる。
【０２３２】
こうして作る感材は特公平４−８６８１７記載の製造管理方法で製造し、特公平６−８７１４６記載の方法で製造データを記録するのが好ましい。その後、またはその前に、特開平４−１２５５６０に記載される方法に従って、従来の１３５サイズよりも細幅のフィルムにカットし、従来よりも小さいフォーマット画面にマッチするようにパーフォレーションを小フォーマット画面当たり片側２穴せん孔する。
【０２３３】
こうして出来たフィルムは特開平４−１５７４５９のカートリッジ包装体や特開平５−２１０２０２実施例の図９記載のカートリッジ、またはＵＳ４，２２１，４７９のフィルムパトローネやＵＳ４，８３４，３０６、ＵＳ４，８３４，３６６、ＵＳ５，２２６，６１３、ＵＳ４，８４６，４１８記載のカートリッジに入れて使用する。
【０２３４】
ここで用いるフィルムカートリッジまたはフィルムパトローネはＵＳ４，８４８，６９３、ＵＳ５，３１７，３５５の様にベロが収納できるタイプが光遮光性の観点で好ましい。
【０２３５】
さらには、ＵＳ５，２９６，８８６の様なロック機構を持ったカートリッジやＵＳ５，３４７，３３４に記載される使用状態が表示されるカートリッジ、二重露光防止機能を有するカートリッジが好ましい。
【０２３６】
また、特開平６−８５１２８に記載の様にフィルムを単にカートリッジに差し込むだけで容易にフィルムが装着されるカートリッジを用いても良い。
【０２３７】
こうして作られたフィルムカートリッジは次に述べるカメラや現像機、ラボ機器を用いて合目的に撮影、現像処理、色々な写真の楽しみ方に使用できる。
【０２３８】
例えば、特開平６−８８６、特開平６−９９９０８に記載の簡易充填式のカメラや特開平６−５７３９８、特開平６−１０１１３５記載の自動巻き上げ式カメラや特開平６−２０５６９０に記載の撮影途中でフィルムの種類を取り出し交換できるカメラや特開平５−２９３１３８、特開平５−２８３３８２に記載の撮影時の情報、例えば、パノラマ撮影、ハイヴィジョン撮影、通常撮影（プリントアスペクト比選択の出来る磁気記録可能）をフィルムに磁気記録出来るカメラや特開平６−１０１１９４に記載の二重露光防止機能を有するカメラや特開昭５−１５０５７７に記載のフィルム等の使用状態表示機能の付いたカメラなどを用いるとフィルムカートリッジ（パトローネ）の機能を充分発揮できる。
【０２３９】
この様にして撮影されたフィルムは特開平６−２２２５１４、特開平６−２２２５４５に記載の自現機で処理するか、処理の前または最中または後で特開昭６−９５２６５、特開平４−１２３０５４に記載のフィルム上の磁気記録の利用法を用いても良いし、特開平５−１９３６４記載のアスペクト比選択機能を利用しても良い。
【０２４０】
現像処理する際シネ型現像であれば、特開平５−１１９４６１記載の方法でスプライスして処理する。
【０２４１】
また、現像処理する際または後、特開平６−１４８８０５記載のアタッチ、デタッチ処理する。
【０２４２】
こうして処理した後で、特開平２−１８４８３５、特開平４−１８６３５、特開平６−７９９６８に記載の方法でカラーペーパーへのバックプリント、フロントプリントを経てフィルム情報をプリントへ変換しても良い。
【０２４３】
更には、特開平５−１１３５３、特開平５−２３２５９４に記載のインデックスプリントおよび返却カートリッジと共に顧客に返却しても良い。
【０２４４】
【実施例】
以下に実施例を挙げて本発明をさらに詳細に説明するがもちろん本発明がこれらの実施例に限定されるものではない。
実施例１
（１）乳剤の調製（Ｅｍ−１０１）
臭化カリウム６．５ｇ、平均分子量１５０００の不活性ゼラチン２８ｇを蒸留水３．５リットルに溶かした水溶液をよく攪拌しながら、これにダブルジェット法により、１４％の臭化カリウム水溶液と２０％の硝酸銀水溶液とを一定流量で１分間にわたって５０℃、ｐＢｒ１．０において加えた（この添加で全銀量の２．４％を消費した）。
【０２４５】
ゼラチン水溶液（１５％、３４０ｃｃ）を加え、５５℃において攪拌した後、２０％の硝酸銀水溶液をｐＢｒが１．４に達するまで一定流量で加えた（この添加で全銀量の５．０％を消費した）。次に二酸化チオ尿素を銀１モル当り１．３×１０−５モル添加しさらに、２０％のヨウ臭化カリウム溶液（ＫＢｒ１−ｘ  Ｉｘ  ：ｘ＝０．０４）および３３％の硝酸銀水溶液をダブルジェット法により４３分間にわたって加えた（この添加で全銀量の５０％を消費した）。エチルチオスルホン酸ナトリウムを銀１モル当り２．８×１０−４モル添加した後、８．３ｇをヨウ化カリウムを含む水溶液を添加し、さらに０．００１／重量％のＫ３  ＩｒＣｌ６  水溶液１４．５ｍｌを添加し２０％の臭化カリウム溶液および３３％の硝酸銀水溶液をダブルジエット法により３９分間にわたって加えた（この添加で全銀量の４２．６％を消費した）。この乳剤に使用した硝酸銀量は４２５ｇであった。次いで通常のフローキュレーション法により脱塩後４０℃でｐＡｇ８．２、ｐＨ５．８に調整した。平均アスペクト比６．７、変動係数１８％、球相当直径０．８５μｍである平板状沃臭化銀乳剤（Ｅｍ−１）を調製した。液体Ｎ２  温度での２００ｋＶ透過型電子顕微鏡による観察から１粒子当り平均５０本以上の転位線が平板状粒子の外周近傍に存在した。
【０２４６】
このようにして作製した乳剤（Ｅｍ−１）に化合物Ｈ−４を１×１０−３ｍｏｌ／ｍｏｌＡｇ添加し、さらに下記に示す増感色素ＥｘＳ−１（２．０×１０−４ｍｏｌ／ｍｏｌＡｇ）、ＥｘＳ−３（２．７×１０−４ｍｏｌ／ｍｏｌＡｇ）、ＥｘＳ−２（２．０×１０−５ｍｏｌ／ｍｏｌＡｇ）を添加した後、チオ硫酸ナトリウムと塩化金酸と、Ｎ，Ｎ−ジメチルセレノ尿素とチオシアン酸カリウムを用いて最適に金−セレン−硫黄増感を施した。この乳剤をＥｍ−１０１とする。
（２）乳剤（Ｅｍ−１０２）の調製
乳剤（Ｅｍ−１０１）において、化合物Ｈ−４を化合物Ｓ−１９に変更した。
（３）乳剤（Ｅｍ−１０３）の調製
乳剤（Ｅｍ−１０２）において、増感色素ＥｘＳ−１を増感色素（２０）に、増感色素ＥｘＳ−３を増感色素（２７）に、増感色素ＥｘＳ−２を増感色素（３０）に変更した。
（４）乳剤（Ｅｍ−１０４〜１０７）の調製
乳剤（Ｅｍ−１０３）において、化合物Ｓ−１９をそれぞれ化合物Ｓ−５、Ｓ−１、Ｓ−１４、Ｓ−４に変更した。
（５）乳剤（Ｅｍ−１０８，１０９）の調製
乳剤（Ｅｍ−１０２）において、化合物Ｓ−１９をそれぞれ化合物Ｓ−４、Ｓ−１４に変更した。
（６）乳剤（Ｅｍ−１１０〜１１２）の調製
乳剤（Ｅｍ−１０７，１０８，１０２）において、粒子形成中に添加している二酸化チオ尿素を除去した。
（７）乳剤（Ｅｍ−１１３）の調製
乳剤（Ｅｍ−１０７）において、化合物Ｓ−４に加えて、さらに化合物Ｈ−４を添加した。
（８）乳剤（Ｅｍ−１１４）の調製
乳剤（Ｅｍ−１０７）において、増感色素（２０）を増感色素（２１）に変更した。
（９）乳剤（Ｅｍ−１１５）の調製
乳剤（Ｅｍ−１０７）において、増感色素（２７）を増感色素（２５）に変更した。
（１０）乳剤（Ｅｍ−１１６〜１１９）の調製
乳剤（Ｅｍ−１１０，１１１，１０７，１０８）において、それぞれ化合物Ｓ−４を除去した。
（１１）乳剤（Ｅｍ−１２０〜１２２）の調製
乳剤（Ｅｍ−１１３）において、一般式（ＩＩＩ）  の化合物をＨ−４から、それぞれＨ−２、Ｈ−３、Ｈ−９に等モルに変更した。
【０２４７】
下塗りを施した三酢酸セルロースフィルム支持体上に、下記に示すような組成の各層を重層塗布し、多層カラー感光材料の試料１０１〜１２２を作製した。第５層に上記乳剤（Ｅｍ−１０１〜１２２）を使用した。
【０２４８】
（感光層組成）
各層に使用する素材の主なものは下記のように分類されている：
ＥｘＣ：シアンカプラー        ＵＶ  ：紫外線吸収剤
ＥｘＭ：マゼンタカプラー      ＨＢＳ：高沸店有機溶剤
ＥｘＹ：イエローカプラー      Ｈ    ：ゼラチン硬化剤
ＥｘＳ：増感色素
各成分に対応する数字は、ｇ／ｍ２  単位で表した塗布量を示し、ハロゲン化銀については銀換算の塗布量を示す。ただし、増感色素については同一層のハロゲン化銀１モルに対する塗布量をモル単位で示す。
0003579195.tif 000049
0003579195.tif 000050
0003579195.tif 000051
0003579195.tif 000052
0003579195.tif 000053
更に、各層に適宜、保存性、処理性、圧力耐性、防黴・防菌性、帯電防止性及び塗布性をよくするために、Ｗ−１ないしＷ−３、Ｂ−４ないしＢ−６、Ｆ−１ないしＦ−１７及び、鉄塩、鉛塩、金塩、白金塩、パラジウム塩、イリジウム塩、ロジウム塩が含有されている。
【０２４９】
各試料の作製に用いた乳剤Ａ〜Ｃ，Ｅ〜Ｍの平均ＡｇＩ含量及び粒子サイズを下記表２に示す。
【０２５０】
【表２】
0003579195.tif 000054
表２において、
（１）乳剤Ａ〜Ｃ、Ｅ〜Ｌは特開平２−１９１９３８の実施例に従い、二酸化チオ尿素とチオスルフォン酸（ＸＸ−１６）を用いて粒子調製時に還元増感されている。
【０２５１】
（２）乳剤Ａ〜Ｌは特開平３−２３７４５０の実施例に従い、各感光層に記載の分光増感色素とチオシアン酸ナトリウムの存在下に金増感、硫黄増感とセレン増感が施されている。
【０２５２】
（３）平板状粒子の調製には特開平１−１５８４２６の実施例に従い、低分子量ゼラチンを使用している。
【０２５３】
（４）平板状粒子には特開平３−２３７４５０に記載されているような転位線が高圧電子顕微鏡を用いて観察されている。
【０２５４】
（５）乳剤Ｌは特開昭６０−１４３３３１に記載されている内部高ヨードコアーを含有する二重構造粒子である。
【０２５５】
有機固体分散染料の分散物の調製
下記、ＥｘＦ−２を次の方法で分散した。即ち、水２１．７ミリリットル及び５％水溶液のｐ−オクチルフェノキシエトキシエタンスルホン酸ソーダ３ミリリットル並びに５％水溶液のｐ−オクチルフェノキシポリオキシエチレンエーテル（重合度１０）０．５ｇとを７００ミリリットルのポケットミルに入れ、染料ＥｘＦ−２を５．０ｇと酸化ジルコニウムビーズ（直径１ｍｍ）５００ミリリットルを添加して内容物を２時間分散した。この分散には中央工機製のＢ０型振動ボールミルを用いた。分散後、内容物を取り出し、１２．５％ゼラチン水溶液８ｇを添加し、ビーズを濾過して除き、染料のゼラチン分散物を得た。染料微粒子の平均粒径は０．４４μｍであった。
【０２５６】
同様にして、ＥｘＦ−３、ＥｘＦ−４及びＥｘＦ−６の固体分散物を得た。染料微粒子の平均粒径はそれぞれ、０．２４μｍ、０．４５μｍ、０．５２μｍであった。ＥｘＦ−５はＥＰ５４９，４８９Ａの実施例１に記載の微小析出（Ｍｉｃｒｏｐｒｅｃｉｐｉｔａｔｉｏｎ）分散方法により分散した。平均粒径は０．０６μｍであった。
【０２５７】
【化５２】
0003579195.tif 000055
【０２５８】
【化５３】
0003579195.tif 000056
【０２５９】
【化５４】
0003579195.tif 000057
【０２６０】
【化５５】
0003579195.tif 000058
【０２６１】
【化５６】
0003579195.tif 000059
【０２６２】
【化５７】
0003579195.tif 000060
【０２６３】
【化５８】
0003579195.tif 000061
【０２６４】
【化５９】
0003579195.tif 000062
【０２６５】
【化６０】
0003579195.tif 000063
【０２６６】
【化６１】
0003579195.tif 000064
【０２６７】
【化６２】
0003579195.tif 000065
【０２６８】
【化６３】
0003579195.tif 000066
【０２６９】
【化６４】
0003579195.tif 000067
【０２７０】
【化６５】
0003579195.tif 000068
【０２７１】
【化６６】
0003579195.tif 000069
【０２７２】
【化６７】
0003579195.tif 000070
このようにして作製した試料１０１〜１２２に色温度４８００゜Ｋで連続ウェッジを通して１／１００秒間センシトメトリー用露光を与え、次のカラー現像処理を行った。
【０２７３】
処理方法を以下に示す。
【０２７４】
0003579195.tif 000071
次に処理液の組成を記す。
【０２７５】
0003579195.tif 000072
0003579195.tif 000073
処理済の試料の濃度判定を行った。
【０２７６】
感度は各サンプルの光学濃度がかぶりよりも０．２だけ高くなるのに要する露光量をＥ１０１  〜Ｅ１１９  とした時、１００×［ｌｏｇ（Ｅ１０１  ／Ｅｘ）＋１］という値で示した。ＥｘはＥ１０１  からＥ１１９  を表す。すなわち、試料１０１の感度は１００であり、試料１０１に対して感度が２倍（露光量が１／２）の試料は１３０となる。
【０２７７】
保存性の評価は、未露光のフィルムを温度７０℃、相対湿度６０％で２４時間保存した後に同様な露光、現像処理した後に、かぶり部の濃度変化を評価した。
【０２７８】
このようにして得られた結果を下記表３に示す。
【０２７９】
【表３】
0003579195.tif 000074
上記表３に示される結果から明らかなように、上記一般式（ＩＩ）で表される増感色素及び上記一般式（Ｉ）で表される化合物を用いた本発明の感光材料は高感度でかつ保存かぶりが優れていることが分かる。特に還元増感を施した時の感度の上がり巾が大きいこと及び保存かぶりの悪化が少ないことは驚異的である。
実施例２
実施例１の試料１１６〜１１９において、第１３層に本発明の化合物（Ｓ−４）を添加し、同様の評価を行なったところ、試料１１６と試料１１８において著しい保存かぶり改良効果を確認することができた。
実施例３
１）支持体
本実施例で用いた支持体は、下記の方法により作成した。
【０２８０】
ポリエチレン−２，６−ナフタレートポリマー１００重量部と紫外線吸収剤としてＴｉｎｕｖｉｎ  Ｐ．３２６（チバ・ガイギーＧｉｂａ−Ｇｅｉｇｙ社製）２重量部とを乾燥した後、３００℃にて溶融後、Ｔ型ダイから押し出し、１４０℃で、３．３倍の縦延伸を行ない、続いて１３０℃で３．３倍の横延伸を行ない、さらに２５０℃で６秒間熱固定して厚さ９０μｍのＰＥＮフィルムを得た。なお、このＰＥＮフィルムにはブルー染料、マゼンタ染料及びイエロー染料（公開技報：公開番号９４−６０２３号記載のＩ−１，Ｉ−４，Ｉ−６，Ｉ−２４，Ｉ−２６，Ｉ−２７、ＩＩ−５）を適当量添加した。さらに、直径２０ｃｍのステンレス巻き芯に巻付けて、１１０℃、４８時間の熱履歴を与え、巻き癖のつきにくい支持体とした。
２）下塗層の塗設
上記支持体は、その両面にコロナ放電処理、ＵＶ放電処理、さらにグロー放電処理をした後、一方の面にゼラチン０．１ｇ／ｍ２  、サリチル酸０．０３ｇ／ｍ２  、シリカゲル（平均粒径０．０２μｍ）１ｍｇ／ｍ２  、ポリアミド−エピクロルヒドリン重縮合物０．０４ｇ／ｍ２  の下塗液を塗布して（１４ｍｌ／ｍ２  、バーコーター使用）、下塗層を延伸時高温面側に設けた。乾燥は１１５℃、４分実施した。
３）バック層の塗設
下塗後の上記支持体の片方の面にバック層として下記組成の帯電防止層、磁気記録層さらに滑り層を塗設した。
３−１）帯電防止層の塗設
平均粒径０．００５μｍの酸化スズ−酸化アンチモン複合物の比抵抗は５Ω・ｃｍの微粒子粉末の分散物（２次凝集粒子径  約０．０８μｍ）を０．３ｇ／ｍ２  、ゼラチン０．０２ｇ／ｍ２  、ポリグリセロール・ポリグリシジルエーテル８ｍｇ／ｍ２  及びポリオキシエチレンソルビタン・モノラウリルエステル５ｍｇ／ｍ２  を塗布した。
３−２）磁気記録層の塗設
３−ポリ（重合度１５）オキシエチレン−プロピルオキシトリメトキシシラン（１５重量％）で被覆処理されたコバルト−γ−酸化鉄（比表面積４３ｍ２  ／ｇ、長軸０．１４μｍ、単軸０．０３μｍ、飽和磁化８９ｅｍｕ／ｇ、Ｆｅ＋２／Ｆｅ＋３＝６／９４、表面は酸化アルミ酸化珪素で酸化鉄の２重量％で処理されている）０．０６ｇ／ｍ２  をジアセチルセルロース１．２ｇ／ｍ２  （酸化鉄の分散はオープンニーダーとサンドミルで実施した）、硬化剤としてポリメチレンポリフェニルイソシアネート０．１ｇ／ｍ２  を、溶媒としてアセトン、メチルエチルケトン、シクロヘキサノン、ジブチルフタレートを用いてバーコーターで塗布し、膜厚１．２μｍの磁気記録層を得た。研磨剤の酸化アルミ（１．０μｍ）を２０ｍｇ／ｍ２  となるように添加した。乾燥は１１５℃、４分実施した。Ｘ−ライト（ブルーフィルター）での磁気記録層のＤＢ  の色濃度増加分は約０．１、また、磁気記録層の飽和磁化モーメントは４．２ｅｍｕ／ｇ、保磁力７．６×１０４  Ａ／ｍ、角形比は６５％であった。
３−３）滑り層の調製
ヒドロキシプロピルセルロース（２ｍｇ／ｍ２  ）、Ｃ６  Ｈ１３ＣＨ（ＯＨ）Ｃ１０Ｈ２０ＣＯＯＣ４０Ｈ８１（７．５ｍｇ／ｍ２  ）、Ｃ１６Ｈ３３Ｏ（ＣＨ２  ＣＨ２  Ｏ）５０Ｈ（７．５ｍｇ／ｍ２  ）、ポリ（ジメチルシロキサン）（１．５ｍｇ／ｍ２  ）、Ｎ−プロピルパーフロオロオクチルスルホンアミド・ポリオキシエチレンスルホン酸ナトリウム（１．５ｍｇ／ｍ２  ）を塗布した。なお、この混合物は、キシレン／シクロヘキサノン（１０／１）中で１０５℃で溶融し、常温のシクロヘキサノン（１０倍量）に注加分散して作製した後、超音波分散機にて分散物（平均粒径０．０５μｍ）にしてから添加した。乾燥は９７℃、３分行なった（乾燥ゾーンのローラーや搬送装置はすべて９７℃）。滑り層は、動摩擦係数０．０８（５ｍｍφのステンレス硬球、荷重１００ｇ、スピード６ｃｍ／分）、静摩擦係数０．１７（クリップ法）、また，後述する乳剤面と滑り層の動摩擦係数も０．１６と優れた特性であった。
４）感光層の塗設
次に、前記で得られたバック層の反対側に、実施例１と全く同じ組成の各層を重層塗布し、試料２０１〜２２２を作成した。
【０２８１】
以上のように作成した感光材料を２４ｍｍ巾、１６０ｃｍに裁断し、さらに感光材料の長さ方向の片側巾方向から０．７ｍｍの所に２ｍｍ四方のパーフォレーションを５．８ｍｍ間隔で２つ設ける。この２つのセットを３２ｍｍ間隔で設けたものを作成し、ＵＳ５，２９６，８８７のＦＩＧ．１〜ＦＩＧ．７に説明されているプラスチック製のフィルムカートリッジに収納した。
【０２８２】
この試料２０１〜２１９について実施例１と同様の評価を行なったところ、本発明の試料は、高感度でかつ保存かぶり変化が少ないという好ましい結果が得られた。
【０２８３】
【発明の効果】
本発明により、高感度で保存かぶりの優れたハロゲン化銀写真感光材料を得ることができた。